(57)【特許請求の範囲】
【請求項１】
ｅノードＢと時分割同時（ＴＤＤ）通信しているユーザ機器（ＵＥ）によって実行されるワイヤレス通信の方法であって、
前記ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームが後続のフレーム中でアップリンクサブフレームからダウンリンクサブフレームに変更されるべきであることを示す再構成メッセージを受信することと、ここにおいて、前記再構成メッセージが、前記少なくとも１つのフレキシブルサブフレームに関する無効なリソースブロック割振りを有する擬似―アップリンク許可を備える、
を備える、方法。
【請求項２】
前記再構成メッセージを受信することが、前記ＵＥにおいて物理レイヤシグナリングを受信することを備えるか、または、
ＨＡＲＱ肯定応答タイミングが、前記初期ＵＬ−ＤＬ構成と再構成されたＵＬ−ＤＬ構成との間で不変であるか、または、
前記フレキシブルサブフレームがアップリンクサブフレームとして初期に構成されるか、または、前記方法が、
前記ｅノードＢから前記初期ＵＬ−ＤＬ構成を受信すること
をさらに備え、
前記初期ＵＬ−ＤＬ構成が１つのシステム情報ブロック（ＳＩＢ）中で受信される、請求項１に記載の方法。
【請求項３】
前記無効なリソースブロック割振りが、アップリンク許可に関するリソース指示値（ＲＩＶ）の最大値を超えるＲＩＶを備えるか、または、
前記再構成メッセージを受信することが、前記フレキシブルサブフレームのうちの第２のフレキシブルサブフレームに関する第２の擬似―アップリンク許可を受信することを備える、請求項１に記載の方法。
【請求項４】
前記初期ＵＬ−ＤＬ構成が各フレーム内の最大数のアップリンクサブフレームを備える、請求項１に記載の方法。
【請求項５】
前記最大数のアップリンクサブフレームがシステム情報ブロック（ＳＩＢ）中で受信されるか、または、前記方法が、
前記最大数のアップリンクサブフレームのＵＬ−ＤＬ構成に基づいて、サブフレームのセット内のアップリンクＨＡＲＱ肯定応答位置を決定すること
をさらに備える、請求項４に記載の方法。
【請求項６】
前記初期ＵＬ−ＤＬ構成が各フレーム内の最小数のアップリンクサブフレームをさらに備え、
前記最小数のアップリンクサブフレームが、前記最小数のアップリンクサブフレームを識別するビットマップを使用して受信されるか、または、
前記最小数のアップリンクサブフレームが、異なる最小アップリンクサブフレームの半静的セット中の最小アップリンクサブフレームを識別する構成インデックスを使用して送信されるか、または前記方法が、
前記最小数のアップリンクサブフレームのＵＬ−ＤＬ構成に基づいて、サブフレームのセット内のダウンリンクＨＡＲＱ肯定応答位置を決定すること
をさらに備える、請求項４に記載の方法。
【請求項７】
マルチプルの時分割同時（ＴＤＤ）アップリンクダウンリンク（ＵＬ−ＤＬ）構成のうちの１つを使用して動作するように構成されたワイヤレス通信ユーザ機器（ＵＥ）装置であって、
ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームがアップリンクサブフレームからダウンリンクサブフレームに変更されるべきであることを示す再構成メッセージを受信することと、ここにおいて、前記再構成メッセージが、前記少なくとも１つのフレキシブルサブフレームに関する無効なリソースブロック割振りを有する擬似―アップリンク許可を備える、
を行うように構成された少なくとも１つのプロセッサと、
前記少なくとも１つのプロセッサに結合されたメモリと
を備える、装置。
【請求項８】
前記初期ＵＬ−ＤＬ構成がシステム情報ブロック（ＳＩＢ）中で受信されるか、または、
前記無効なリソースブロック割振りが、アップリンク許可に関するリソース指示値（ＲＩＶ）の最大値を超えるＲＩＶを備える、請求項７に記載の装置。
【請求項９】
前記再構成メッセージが、再構成されるべきである前記フレキシブルサブフレームを識別する無線リソース制御（ＲＲＣ）メッセージングの１つまたは複数を備える、請求項１に記載の方法または請求項７に記載の装置。
【請求項１０】
マルチプルの時分割同時（ＴＤＤ）アップリンクダウンリンク（ＵＬ−ＤＬ）構成の１つを使用して動作するように構成されたワイヤレス通信ユーザ機器（ＵＥ）装置であって、
ｅノードＢとのＴＤＤ通信に関する初期アップリンクダウンリンク（ＵＬ−ＤＬ）構成を受信するための手段と、
フレキシブルサブフレームとして前記初期ＵＬ−ＤＬ構成を使用して送信される各フレーム内の１つまたは複数のサブフレームを識別するための手段と、
前記少なくとも１つのフレキシブルサブフレームがアップリンクサブフレームからダウンリンクサブフレームに変更されるべきであることを示す再構成メッセージを受信するための手段と、ここにおいて、前記再構成メッセージが、前記少なくとも１つのフレキシブルサブフレームに関する無効なリソースブロック割振りを有する擬似―アップリンク許可を備える、
を備える、装置。
【請求項１１】
前記再構成メッセージが、前記ＵＥにおいて受信される物理レイヤシグナリングを備える、請求項７または１０に記載の装置。
【請求項１２】
ｅノードＢと時分割同時（ＴＤＤ）通信しているユーザ機器（ＵＥ）によって実行されるワイヤレス通信の方法であって、
前記ｅノードＢとのＴＤＤに関する初期アップリンクダウンリンク（ＵＬ−ＤＬ）構成を受信することと、
前記初期ＵＬ−ＤＬ構成を異なるＵＬ−ＤＬ構成に再構成するための擬似―アップリンク許可を受信することと
を備える、方法。
【請求項１３】
前記擬似―アップリンク許可が第１のフレキシブルサブフレームに関する第１の擬似―アップリンク許可を備え、ここにおいて、前記方法が、第２のフレキシブルサブフレームに関する第２の擬似―アップリンク許可を受信することをさらに備えるか、または、
前記擬似―アップリンク許可が、前記少なくとも１つのフレキシブルサブフレームに関する無効なリソースブロック割振りを備え、
前記無効なリソースブロック割振りが、アップリンク許可に関するリソース指示値（ＲＩＶ）の最大値を超えるＲＩＶを備える、請求項１２に記載の方法。
【請求項１４】
コンピュータ上で実行されると、請求項１〜６または９のいずれか一項に記載の方法を実行するための命令を備える、コンピュータプログラム。
【発明の詳細な説明】
【技術分野】
【０００１】
相互参照
[0001]本特許出願は、本出願の譲受人に譲渡され、参照により本明細書に明確に組み込まれる、２０１３年１月１７日に出願された、「Hybrid Reconfiguration Methods and Apparatus for TDD Adaptation」と題する、Ｑｕａｌｃｏｍｍ  Ｉｎｃｏｒｐｏｒａｔｅｄらの国際特許出願第ＰＣＴ／ＣＮ２０１３／００００５０号の優先権を主張する。
【０００２】
[0002]以下は、一般にワイヤレス通信に関し、より詳細には、好ましい信号送信構成を有するｅノードＢとのワイヤレス通信を確立することに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。さらに、いくつかのシステムは、アップリンク通信とダウンリンク通信の両方のために単一のキャリア周波数が使用される時分割同時（ＴＤＤ：time-division duplex）通信を使用して動作し得、いくつかのシステムは、アップリンク通信とダウンリンク通信とのために別個のキャリア周波数が使用される周波数分割同時（ＦＤＤ：frequency-division duplex）通信を使用して動作し得る。
【背景技術】
【０００３】
[0003]ＴＤＤを使用して動作するシステムでは、アップリンク通信とダウンリンク通信とが非対称であり得る、異なるフォーマットが使用され得る。ＴＤＤフォーマットはデータのフレームの送信を含み、データのフレームの各々は、異なるサブフレームがアップリンクサブフレームまたはダウンリンクサブフレームであり得る、いくつかの異なるサブフレームを含む。システムのユーザに追加のアップリンクまたはダウンリンクデータ容量を与えるために、特定のシステムのデータトラフィックパターンに基づいてＴＤＤフォーマットの再構成が実装され得る。
【発明の概要】
【０００４】
[0004]説明される特徴は、概して、再構成されたＴＤＤ  ＵＬ−ＤＬ構成において動作するためにユーザ機器（ＵＥ）を再構成するための１つまたは複数の改善されたシステム、方法、および／または装置に関する。ＴＤＤ通信に関する初期アップリンクーダウンリンク（ＵＬ−ＤＬ）構成がｅノードＢとＵＥとの間の通信のために与えられ得る。初期ＵＬ−ＤＬ構成を使用して送信される各フレーム内の１つまたは複数のサブフレームがフレキシブルサブフレームとして識別され得る。フレキシブルサブフレームの識別は、再構成が行われたときに変化しない、ＨＡＲＱ送信に関するタイミングの識別を可能にし得る。少なくとも１つのフレキシブルサブフレームがアップリンクサブフレームからダウンリンクサブフレームに変更されるべきである、異なるＵＬ−ＤＬ構成がＵＥに送信され得る。異なるＵＬ−ＤＬ構成は、たとえば、ＵＥが１つまたは複数のサブフレームをアップリンク送信またはダウンリンク送信のために再構成すべきであることを示し得る、ＵＥに対する擬似―アップリンク許可（pseudo-uplink grant）またはＵＥへのＲＲＣシグナリングによって送信され得る。
【０００５】
[0005]一態様では、ユーザ機器（ＵＥ）と時分割同時（ＴＤＤ）通信しているｅノードＢによって実行されるワイヤレス通信の方法が提供される。本方法は、概して、ＵＥとのＴＤＤ通信に関する初期アップリンクダウンリンク（ＵＬ−ＤＬ）構成を決定することと、初期ＵＬ−ＤＬ構成を使用して送信される各フレーム内の１つまたは複数のサブフレームをフレキシブルサブフレームとして識別することと、異なるＵＬ−ＤＬ構成がＵＥとのＴＤＤ通信のために使用されるべきであると決定することと、異なるＵＬ−ＤＬ構成が、アップリンクサブフレームからダウンリンクサブフレームに変更されるべきである少なくとも１つのフレキシブルサブフレームを備える、少なくとも１つのフレキシブルサブフレームがアップリンクサブフレームからダウンリンクサブフレームに変更されるべきであることを示す再構成メッセージをＵＥに送信することとを含む。再構成メッセージは、たとえば、ＵＥへの物理レイヤシグナリング、および／または後続のフレーム中でアップリンクサブフレームからダウンリンクサブフレームに変更されるべきである少なくとも１つのフレキシブルサブフレームに関する擬似―アップリンク許可を含み得る。いくつかの例では、ハイブリッド自動再送要求（ＨＡＲＱ：hybrid automatic retransmission request）肯定応答タイミングは、初期ＵＬ−ＤＬ構成と異なるＵＬ−ＤＬ構成との間で不変である。いくつかの例では、初期ＵＬ−ＤＬ構成は各フレーム内の最大数のアップリンクサブフレームを含み得る。
【０００６】
[0006]いくつかの例では、本方法はまた、最大数のアップリンクサブフレームのＵＬ−ＤＬ構成に基づいて、サブフレーム内のアップリンクハイブリッド自動再送要求（ＨＡＲＱ）肯定応答位置を決定することを含み得る。最大数のアップリンクサブフレームは、たとえば、システム情報ブロック（ＳＩＢ：system information block）中で送信され得る。初期ＵＬ−ＤＬ構成はまた、各フレーム内の最小数のアップリンクサブフレームを含み得る。いくつかの例では、本方法はまた、最小数のアップリンクサブフレームのＵＬ−ＤＬ構成に基づいて、サブフレーム内のダウンリンクＨＡＲＱ肯定応答位置を決定することを含み得る。最小数のアップリンクサブフレームは、たとえば、最小数のアップリンクサブフレームを識別する第１のビットマップ、または異なる最小アップリンクサブフレームの半静的セット中の最小アップリンクサブフレームを識別する構成インデックスを使用して送信され得る。最大数のアップリンクサブフレームは、最大数のアップリンクサブフレームを識別する第２のビットマップを使用して、または最大数のサブフレームを識別する第２の構成インデックスを使用して送信され得る。いくつかの例では、少なくとも１つのフレキシブルサブフレームは、第１および第２のビットマップまたは第１および第２の構成インデックスに基づいて決定される。いくつかの例では、最小数のアップリンクサブフレームは、ＵＥとの無線リソース制御（ＲＲＣ：radio resource control）シグナリングを使用して送信される。
【０００７】
[0007]いくつかの例では、本方法は、初期ＵＬ−ＤＬ構成をＵＥに送信することをさらに含み得る。初期ＵＬ−ＤＬ構成は、たとえば、１つのシステム情報ブロック（ＳＩＢ）中で送信され得る。再構成メッセージは、たとえば、再構成されるべきであるフレキシブルサブフレームを識別する無線リソース制御（ＲＲＣ）メッセージのうちの１つまたは複数を含み得る。いくつかの例では、フレキシブルサブフレームはアップリンクサブフレームとして初期に構成される。
【０００８】
[0008]別の態様では、ユーザ機器（ＵＥ）と時分割同時（ＴＤＤ）通信しているｅノードＢによって実行されるワイヤレス通信の方法が提供される。本方法は、概して、ＴＤＤ通信に関する初期アップリンクダウンリンク（ＵＬ−ＤＬ）構成をＵＥに送信することと、そのＵＬ−ＤＬ構成を異なるＵＬ−ＤＬ構成に再構成するための擬似―アップリンク許可をＵＥに送信することとを含む。擬似―アップリンク許可は、たとえば、少なくとも１つのフレキシブルサブフレームに関する無効なリソースブロック割振りを含み得る。そのような無効なリソースブロック割振りは、たとえば、アップリンク許可に関するリソース指示値（ＲＩＶ：resource indication value）の最大値を超えるＲＩＶを含み得る。ＲＩＶはｅノードＢからＵＥにリソース割振りをシグナリングする。いくつかの例では、擬似―アップリンク許可は、フレキシブルサブフレームのうちの第１のフレキシブルサブフレームに関する第１の擬似―アップリンク許可を含み得、ここにおいて、本方法は、フレキシブルサブフレームのうちの第２のフレキシブルサブフレームに関する第２の擬似―アップリンク許可を送信することをさらに備える。
【０００９】
[0009]別の態様では、ｅノードＢと時分割同時（ＴＤＤ）通信しているユーザ機器（ＵＥ）によって実行されるワイヤレス通信の方法が提供される。本方法は、概して、ｅノードＢとのＴＤＤ通信に関する初期アップリンクダウンリンク（ＵＬ−ＤＬ）構成を受信することと、初期ＵＬ−ＤＬ構成を使用して送信される各フレーム内の１つまたは複数のサブフレームをフレキシブルサブフレームとして識別することと、少なくとも１つのフレキシブルサブフレームが後続のフレーム中でアップリンクサブフレームからダウンリンクサブフレームに変更されるべきであることを示す再構成メッセージを受信することとを含む。再構成メッセージを受信することは、たとえば、ＵＥにおいて物理レイヤシグナリングを受信することを含み得る。再構成メッセージは、たとえば、少なくとも１つのフレキシブルサブフレームに関する無効なリソースブロック割振りを有する擬似―アップリンク許可を含み得る。そのような無効なリソースブロック割振りは、たとえば、アップリンク許可に関するリソース指示値（ＲＩＶ）の最大値を超えるＲＩＶを含み得る。再構成メッセージを受信することは、いくつかの例では、フレキシブルサブフレームのうちの第２のフレキシブルサブフレームに関する第２の擬似―アップリンク許可を受信することを含み得る。
【００１０】
[0010]いくつかの例では、ＨＡＲＱ肯定応答タイミングは、初期ＵＬ−ＤＬ構成と再構成されたＵＬ−ＤＬ構成との間で不変であり得る。いくつかの例では、初期ＵＬ−ＤＬ構成は各フレーム内の最大数のアップリンクサブフレームを含み得る。サブフレーム内のアップリンクＨＡＲＱ肯定応答位置を決定することは、いくつかの例では、最大数のアップリンクサブフレームのＵＬ−ＤＬ構成に基づき得る。最大数のアップリンクサブフレームは、たとえば、システム情報ブロック（ＳＩＢ）中で受信され得る。初期ＵＬ−ＤＬ構成はまた、各フレーム内の最小数のアップリンクサブフレームを含み得る。本方法は、いくつかの例では、最小数のアップリンクサブフレームのＵＬ−ＤＬ構成に基づいて、サブフレーム内のダウンリンクＨＡＲＱ肯定応答位置を決定することをさらに含み得る。最小数のアップリンクサブフレームは、たとえば、最小数のアップリンクサブフレームを識別するビットマップを使用して、または異なる最小アップリンクサブフレームの半静的セット中の最小アップリンクサブフレームを識別する構成インデックスを使用して受信され得る。
【００１１】
[0011]いくつかの例では、本方法は、ｅノードＢから初期ＵＬ−ＤＬ構成を受信することをさらに含み得る。初期ＵＬ−ＤＬ構成は、たとえば、１つのシステム情報ブロック（ＳＩＢ）中で受信され得る。フレキシブルサブフレームは、いくつかの例では、アップリンクサブフレームとして初期に構成され得る。再構成メッセージは、再構成されるべきであるフレキシブルサブフレームを識別する１つまたは複数の無線リソース制御（ＲＲＣ）メッセージを含み得る。
【００１２】
[0012]別の態様では、ｅノードＢと時分割同時（ＴＤＤ）通信しているユーザ機器（ＵＥ）によって実行されるワイヤレス通信の方法が提供される。本方法は、概して、ｅノードＢとのＴＤＤ通信に関する初期アップリンクダウンリンク（ＵＬ−ＤＬ）構成を受信することと、そのＵＬ−ＤＬ構成を異なるＵＬ−ＤＬ構成に再構成するための擬似―アップリンク許可を受信することとを含む。擬似―アップリンク許可は、たとえば、少なくとも１つのフレキシブルサブフレームに関する無効なリソースブロック割振りを含み得る。無効なリソースブロック割振りは、たとえば、アップリンク許可に関するリソース指示値（ＲＩＶ）の最大値を超えるＲＩＶを含み得る。いくつかの例では、擬似―アップリンク許可は、フレキシブルサブフレームのうちの第１のフレキシブルサブフレームに関する第１の擬似―アップリンク許可を含み得、ここにおいて、本方法は、フレキシブルサブフレームのうちの第２のフレキシブルサブフレームに関する第２の擬似―アップリンク許可を受信することをさらに含み得る。
【００１３】
[0013]別の態様では、ユーザ機器（ＵＥ）と時分割同時（ＴＤＤ）通信しているワイヤレス通信ｅノードＢ装置が提供される。本装置は、概して、少なくとも１つのプロセッサと、プロセッサに結合されたメモリとを含む。プロセッサは、ＵＥとのＴＤＤ通信に関する初期アップリンクダウンリンク（ＵＬ−ＤＬ）構成を決定することと、初期ＵＬ−ＤＬ構成を使用して送信される各フレーム内の１つまたは複数のサブフレームをフレキシブルサブフレームとして識別することと、異なるＵＬ−ＤＬ構成がＵＥとのＴＤＤ通信のために使用されるべきであると決定することと、異なるＵＬ−ＤＬ構成が、アップリンクサブフレームからダウンリンクサブフレームに変更されるべきである少なくとも１つのフレキシブルサブフレームを備える、少なくとも１つのフレキシブルサブフレームがアップリンクサブフレームからダウンリンクサブフレームに変更されるべきであることを示す再構成メッセージをＵＥに送信することとを行うように構成され得る。再構成メッセージは、ＵＥへの物理レイヤシグナリングを含み得、および／または後続のフレーム中でアップリンクサブフレームからダウンリンクサブフレームに変更されるべきである少なくとも１つのフレキシブルサブフレームに関する擬似―アップリンク許可を含み得る。再構成メッセージは、たとえば、再構成されるべきであるフレキシブルサブフレームを識別する無線リソース制御（ＲＲＣ）メッセージのうちの１つまたは複数を含み得る。
【００１４】
[0014]別の態様では、ユーザ機器（ＵＥ）と時分割同時（ＴＤＤ）通信しているワイヤレス通信ｅノードＢ装置が提供される。本装置は、概して、少なくとも１つのプロセッサと、少なくとも１つのプロセッサに結合されたメモリとを含む。プロセッサは、ＴＤＤ通信に関する初期アップリンクダウンリンク（ＵＬ−ＤＬ）構成をＵＥに送信することと、そのＵＬ−ＤＬ構成を異なるＵＬ−ＤＬ構成に再構成するための擬似―アップリンク許可をＵＥに送信することとを行うように構成され得る。擬似―アップリンク許可は、たとえば、少なくとも１つのフレキシブルサブフレームに関する無効なリソースブロック割振りを含み得、無効なリソースブロック割振りは、いくつかの例では、アップリンク許可に関するリソース指示値（ＲＩＶ）の最大値を超えるＲＩＶを含み得る。
【００１５】
[0015]別の態様では、複数の時分割同時（ＴＤＤ）アップリンクダウンリンク（ＵＬ−ＤＬ）構成のうちの１つを使用して動作するように構成されたワイヤレス通信ユーザ機器（ＵＥ）装置が提供される。本装置は、概して、少なくとも１つのプロセッサと、プロセッサに結合されたメモリとを含む。プロセッサは、ｅノードＢとのＴＤＤ通信に関する初期アップリンクダウンリンク（ＵＬ−ＤＬ）構成を受信することと、初期ＵＬ−ＤＬ構成を使用して送信される各フレーム内の１つまたは複数のサブフレームをフレキシブルサブフレームとして識別することと、少なくとも１つのフレキシブルサブフレームがアップリンクサブフレームからダウンリンクサブフレームに変更されるべきであることを示す再構成メッセージを受信することとを行うように構成され得る。再構成メッセージは、たとえば、ＵＥにおいて受信される物理レイヤシグナリングを含み得、および／または少なくとも１つのフレキシブルサブフレームに関する無効なリソースブロック割振りを有する擬似―アップリンク許可を含み得る。
【００１６】
[0016]別の態様では、複数の時分割同時（ＴＤＤ）アップリンクダウンリンク（ＵＬ−ＤＬ）構成のうちの１つを使用して動作するように構成されたワイヤレス通信ユーザ機器（ＵＥ）装置が提供される。本装置は、概して、少なくとも１つのプロセッサと、プロセッサに結合されたメモリとを含む。プロセッサは、ｅノードＢとのＴＤＤ通信に関する初期アップリンクダウンリンク（ＵＬ−ＤＬ）構成を受信することと、そのＵＬ−ＤＬ構成を異なるＵＬ−ＤＬ構成に再構成するための擬似―アップリンク許可を受信することとを行うように構成され得る。擬似―アップリンク許可は、たとえば、アップリンク許可に関するリソース指示値（ＲＩＶ）の最大値を超えるＲＩＶを含み得る、少なくとも１つのフレキシブルサブフレームに関する無効なリソースブロック割振りを含み得る。いくつかの例では、擬似―アップリンク許可は、フレキシブルサブフレームのうちの第１のフレキシブルサブフレームに関する第１の擬似―アップリンク許可を含み得、プロセッサは、フレキシブルサブフレームのうちの第２のフレキシブルサブフレームに関する第２の擬似―アップリンク許可を受信するためにさらに構成され得る。
【００１７】
[0017]別の態様では、ユーザ機器（ＵＥ）と時分割同時（ＴＤＤ）通信しているワイヤレス通信ｅノードＢ装置。本装置は、概して、ＵＥとのＴＤＤ通信に関する初期アップリンクダウンリンク（ＵＬ−ＤＬ）構成を決定するための手段と、初期ＵＬ−ＤＬ構成を使用して送信される各フレーム内の１つまたは複数のサブフレームをフレキシブルサブフレームとして識別するための手段と、異なるＵＬ−ＤＬ構成がＵＥとのＴＤＤ通信のために使用されるべきであると決定するための手段と、異なるＵＬ−ＤＬ構成が、アップリンクサブフレームからダウンリンクサブフレームに変更されるべきである少なくとも１つのフレキシブルサブフレームを備える、少なくとも１つのフレキシブルサブフレームがアップリンクサブフレームからダウンリンクサブフレームに変更されるべきであることを示す再構成メッセージをＵＥに送信するための手段とを含む。再構成メッセージは、たとえば、ＵＥへの物理レイヤシグナリング、および／または後続のフレーム中でアップリンクサブフレームからダウンリンクサブフレームに変更されるべきである少なくとも１つのフレキシブルサブフレームに関する擬似―アップリンク許可を含み得る。初期ＵＬ−ＤＬ構成は、たとえば、システム情報ブロック（ＳＩＢ）中で送信され得る。いくつかの例では、再構成メッセージは、再構成されるべきであるフレキシブルサブフレームを識別する無線リソース制御（ＲＲＣ）メッセージのうちの１つまたは複数を含み得る。
【００１８】
[0018]別の態様では、ユーザ機器（ＵＥ）と時分割同時（ＴＤＤ）通信しているワイヤレス通信ｅノードＢ装置が提供される。本装置は、概して、ＴＤＤ通信に関する初期アップリンクダウンリンク（ＵＬ−ＤＬ）構成をＵＥに送信するための手段と、そのＵＬ−ＤＬ構成を異なるＵＬ−ＤＬ構成に再構成するための擬似―アップリンク許可をＵＥに送信するための手段とを含む。擬似―アップリンク許可は、たとえば、少なくとも１つのフレキシブルサブフレームに関する無効なリソースブロック割振りを含み得る。
【００１９】
[0019]別の態様では、複数の時分割同時（ＴＤＤ）アップリンクダウンリンク（ＵＬ−ＤＬ）構成のうちの１つを使用して動作するように構成されたワイヤレス通信ユーザ機器（ＵＥ）装置が提供される。本装置は、概して、ｅノードＢとのＴＤＤ通信に関する初期アップリンクダウンリンク（ＵＬ−ＤＬ）構成を受信するための手段と、初期ＵＬ−ＤＬ構成を使用して送信される各フレーム内の１つまたは複数のサブフレームをフレキシブルサブフレームとして識別するための手段と、少なくとも１つのフレキシブルサブフレームがアップリンクサブフレームからダウンリンクサブフレームに変更されるべきであることを示す再構成メッセージを受信するための手段とを含む。再構成メッセージは、たとえば、ＵＥにおいて受信される物理レイヤシグナリング、および／または少なくとも１つのフレキシブルサブフレームに関する無効なリソースブロック割振りを有する擬似―アップリンク許可を含み得る。
【００２０】
[0020]別の態様では、複数の時分割同時（ＴＤＤ）アップリンクダウンリンク（ＵＬ−ＤＬ）構成のうちの１つを使用して動作するように構成されたワイヤレス通信ユーザ機器（ＵＥ）装置が提供される。本装置は、概して、ｅノードＢとのＴＤＤ通信に関する初期アップリンクダウンリンク（ＵＬ−ＤＬ）構成を受信するための手段と、そのＵＬ−ＤＬ構成を異なるＵＬ−ＤＬ構成に再構成するための擬似―アップリンク許可を受信するための手段とを含む。擬似―アップリンク許可は、たとえば、アップリンク許可に関するリソース指示値（ＲＩＶ）の最大値を超えるＲＩＶを含み得る、少なくとも１つのフレキシブルサブフレームに関する無効なリソースブロック割振りを含み得る。
【００２１】
[0021]別の態様では、複数のコンカレント時分割同時（ＴＤＤ）アップリンクダウンリンク（ＵＬ−ＤＬ）構成のために構成された、ｅノードＢによるワイヤレス通信に関するコンピュータプログラム製品が提供される。本コンピュータプログラム製品は、概して、ＵＥとのＴＤＤ通信に関する初期アップリンクダウンリンク（ＵＬ−ＤＬ）構成を決定することと、初期ＵＬ−ＤＬ構成を使用して送信される各フレーム内の１つまたは複数のサブフレームをフレキシブルサブフレームとして識別することと、異なるＵＬ−ＤＬ構成がＵＥとのＴＤＤ通信のために使用されるべきであると決定することと、異なるＵＬ−ＤＬ構成が、アップリンクサブフレームからダウンリンクサブフレームに変更されるべきである少なくとも１つのフレキシブルサブフレームを備える、少なくとも１つのフレキシブルサブフレームがアップリンクサブフレームからダウンリンクサブフレームに変更されるべきであることを示す再構成メッセージをＵＥに送信することとを行うためのコードを含む非一時的コンピュータ可読媒体を備える。再構成メッセージは、たとえば、ＵＥへの物理レイヤシグナリング、および／または後続のフレーム中でアップリンクサブフレームからダウンリンクサブフレームに変更されるべきである少なくとも１つのフレキシブルサブフレームに関する擬似―アップリンク許可を含み得る。いくつかの例では、再構成メッセージは、再構成されるべきであるフレキシブルサブフレームを識別する無線リソース制御（ＲＲＣ）メッセージのうちの１つまたは複数を含み得る。
【００２２】
[0022]別の態様では、複数のコンカレント時分割同時（ＴＤＤ）アップリンクダウンリンク（ＵＬ−ＤＬ）構成のために構成された、ｅノードＢによるワイヤレス通信に関するコンピュータプログラム製品が提供される。本コンピュータプログラム製品は、概して、ＴＤＤ通信に関する初期アップリンクダウンリンク（ＵＬ−ＤＬ）構成をＵＥに送信することと、そのＵＬ−ＤＬ構成を異なるＵＬ−ＤＬ構成に再構成するための擬似―アップリンク許可をＵＥに送信することとを行うためのコードを含む非一時的コンピュータ可読媒体を備える。擬似―アップリンク許可は、たとえば、少なくとも１つのフレキシブルサブフレームに関する無効なリソースブロック割振りを含み得る。
【００２３】
[0023]別の態様では、複数の時分割同時（ＴＤＤ）アップリンクダウンリンク（ＵＬ−ＤＬ）構成のうちの１つを使用して動作するように構成された、ユーザ機器（ＵＥ）によるワイヤレス通信に関するコンピュータプログラム製品が提供される。本コンピュータプログラム製品は、概して、ｅノードＢとのＴＤＤ通信に関する初期アップリンクダウンリンク（ＵＬ−ＤＬ）構成を受信することと、初期ＵＬ−ＤＬ構成を使用して送信される各フレーム内の１つまたは複数のサブフレームをフレキシブルサブフレームとして識別することと、少なくとも１つのフレキシブルサブフレームがアップリンクサブフレームからダウンリンクサブフレームに変更されるべきであることを示す再構成メッセージを受信することとを行うためのコードを含む非一時的コンピュータ可読媒体を含む。再構成メッセージは、たとえば、少なくとも１つのフレキシブルサブフレームに関する無効なリソースブロック割振りを有する擬似―アップリンク許可を含み得る。
【００２４】
[0024]別の態様では、複数の時分割同時（ＴＤＤ）アップリンクダウンリンク（ＵＬ−ＤＬ）構成のうちの１つを使用して動作するために構成された、ユーザ機器（ＵＥ）によるワイヤレス通信に関するコンピュータプログラム製品が提供される。本コンピュータプログラム製品は、概して、ｅノードＢとのＴＤＤ通信に関する初期アップリンクダウンリンク（ＵＬ−ＤＬ）構成を受信することと、そのＵＬ−ＤＬ構成を異なるＵＬ−ＤＬ構成に再構成するための擬似―アップリンク許可を受信することとを行うためのコードを含む非一時的コンピュータ可読媒体を含む。擬似―アップリンク許可は、たとえば、少なくとも１つのフレキシブルサブフレームに関する無効なリソースブロック割振りを含み得、無効なリソースブロック割振りは、アップリンク許可に関するリソース指示値（ＲＩＶ）の最大値を超えるＲＩＶを備える。
【００２５】
[0025]説明される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２６】
[0026]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２７】
【図１】[0027]様々な例による、ワイヤレス通信システムの一例を示す図。
【図２】[0028]様々な例による、例示的なワイヤレス通信システムにおけるＴＤＤアップリンクダウンリンク構成を示す表。
【図３】[0029]様々な例による、セルがセルクラスタに従ってグループ化されたセルクラスタリング干渉緩和（Cell Clustering Interference Mitigation）環境を示す図。
【図４】[0030]様々な例による、関連する最小数および最大数のアップリンクサブフレームをもつ例示的なＴＤＤフレームの図。
【図５】[0031]様々な例による、ｅノードＢの一例のブロック図。
【図６】[0032]様々な例による、例示的な擬似―アップリンク許可、関連するダウンリンクサブフレーム、およびＨＡＲＱ肯定応答リソースを示す図。
【図７】[0033]様々な例による、擬似―アップリンク許可、関連するダウンリンクサブフレーム、関連するＨＡＲＱ肯定応答リソースの別の例を示す図。
【図８】[0034]様々な例による、アップリンク許可、関連するアップリンクサブフレーム、擬似―アップリンク許可および関連するダウンリンクサブフレーム、および関連する肯定応答リソースの一例を示す図。
【図９】[0035]様々な例による、アップリンク許可、関連するアップリンクサブフレーム、擬似―アップリンク許可および関連するダウンリンクサブフレーム、および関連する肯定応答リソースの別の例を示す図。
【図１０】[0036]様々な例による、ユーザ機器の一例のブロック図。
【図１１】[0037]様々な例による、ＴＤＤ再構成モジュールの一例のブロック図。
【図１２】[0038]様々な例による、ｅノードＢとＵＥとを含むワイヤレス通信システムの一例のブロック図。
【図１３】[0039]様々な例による、ＴＤＤ  ＵＬ−ＤＬ構成の動的再構成に関する方法のフローチャート。
【図１４】[0040]様々な例による、ＴＤＤ  ＵＬ−ＤＬ構成の動的再構成に関する別の方法のフローチャート。
【図１５】[0041]様々な例による、ＴＤＤ  ＵＬ−ＤＬ構成の動的再構成に関する別の方法のフローチャート。
【図１６】[0042]様々な例による、ＴＤＤ  ＵＬ−ＤＬ構成の動的再構成に関する別の方法のフローチャート。
【発明を実施するための形態】
【００２８】
[0043]本開示の様々な態様は、再構成されたＴＤＤ  ＵＬ−ＤＬ構成において動作するためにユーザ機器（ＵＥ）を再構成することを提供する。ＴＤＤ通信に関する初期アップリンクダウンリンク（ＵＬ−ＤＬ）構成がｅノードＢとＵＥとの間の通信のために与えられ得る。初期ＵＬ−ＤＬ構成を使用して送信される各フレーム内の１つまたは複数のサブフレームがフレキシブルサブフレームとして識別され得る。フレキシブルサブフレームの識別は、再構成が行われたときに変化しない、ＨＡＲＱ送信に関するタイミングの識別を可能にし得る。少なくとも１つのフレキシブルサブフレームがアップリンクサブフレームからダウンリンクサブフレームに変更されるべきである、異なるＵＬ−ＤＬ構成がＵＥに送信され得る。異なるＵＬ−ＤＬ構成は、たとえば、ＵＥが１つまたは複数のサブフレームをアップリンク送信またはダウンリンク送信のために再構成すべきであることを示す、ＵＥに対する擬似―アップリンク許可によって送信され得る。
【００２９】
[0044]本明細書で説明される技法は、セルラーワイヤレスシステムなどの様々なワイヤレス通信システム、ピアツーピアワイヤレス通信、ワイヤレスローカルアクセスネットワーク（ＷＬＡＮ）、アドホックネットワーク、衛星通信システム、および他のシステムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００３０】
[0045]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ（登録商標）：Global System for Mobile Communications）の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記で述べられたシステムおよび無線技術、ならびに他のシステムおよび無線技術のために使用され得る。
【００３１】
[0046]したがって、以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００３２】
[0047]最初に図１を参照すると、図は、ワイヤレス通信システム１００の一例を示している。ワイヤレス通信システム１００は、（基地局またはセルとも呼ばれる）１０５ｅノードＢ（ｅＮＢ）１０５と、ユーザ機器（ＵＥ）１１５と、コアネットワーク１３０とを含む。ｅノードＢ１０５は、様々な例ではコアネットワーク１３０またはｅノードＢ１０５の一部であり得る、基地局コントローラ（図示せず）の制御下でＵＥ１１５と通信し得る。ｅノードＢ１０５は、バックホールリンク１３２を通してコアネットワーク１３０と制御情報および／またはユーザデータを通信し得る。バックホールリンク１３２は、ワイヤードバックホールリンク１３２（たとえば、銅、ファイバーなど）および／またはワイヤレスバックホールリンク１３２（たとえば、マイクロ波など）であり得る。例では、ｅノードＢ１０５は、ワイヤードまたはワイヤレス通信リンク１３４であり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３３】
[0048]ｅノードＢ１０５は、１つまたは複数のｅノードＢアンテナを介してＵＥ１１５とワイヤレス通信し得る。ｅノードＢ１０５のサイトの各々は、それぞれのカバレージエリア１１０に通信カバレージを与え得る。いくつかの例では、ｅノードＢ１０５は、基地局、基地トランシーバ局、無線基地局、アクセスポイント、無線トランシーバ、基本サービスセット（ＢＳＳ）、拡張サービスセット（ＥＳＳ）、ノードＢ、ホームノードＢ、ホームｅノードＢ、または何らかの他の好適な用語で呼ばれることがある。ｅノードＢ１０５に関するカバレージエリア１１０は、カバレージエリアの一部分のみを構成するセクタ（図示せず）に分割され得る。ワイヤレス通信システム１００は、異なるタイプのｅノードＢ１０５（たとえば、マクロ基地局、マイクロ基地局、および／またはピコ基地局）を含み得る。異なる技術に関する重複するカバレージエリアがあり得る。
【００３４】
[0049]ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。例では、いくつかのｅノードＢ１０５は同期であるが、他のｅノードＢは非同期であり得る。
【００３５】
[0050]ＵＥ１１５はワイヤレス通信システム１００全体にわたって分散され、各デバイスは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロ基地局、ピコ基地局、フェムト基地局、リレー基地局などと通信することが可能であり得る。
【００３６】
[0051]ワイヤレス通信システム１００に示された通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。例では、通信リンク１２５は、トラフィックフレーム内の双方向トラフィックを搬送するＴＤＤキャリアである。
【００３７】
[0052]例では、ワイヤレス通信システム１００はＬＴＥ／ＬＴＥ−Ａネットワークである。ワイヤレス通信システム１００は、異なるタイプのｅノードＢ１０５が様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ：closed subscriber group）中のＵＥ、自宅内のユーザに関するＵＥ１１５など）による限定アクセスをも可能にし得る。マクロセルに関するｅノードＢはマクロｅノードＢと呼ばれることがある。ピコセルに関するｅノードＢはピコｅノードＢと呼ばれることがある。また、フェムトセルに関するｅノードＢはフェムトｅノードＢまたはホームｅノードＢと呼ばれることがある。ｅノードＢは、１つまたは複数の（たとえば、２つ、３つ、４つなどの）セルをサポートし得る。
【００３８】
[0053]ＬＴＥ／ＬＴＥ−Ａネットワークアーキテクチャによるワイヤレス通信システム１００は、発展型パケットシステム（ＥＰＳ：Evolved Packet System）と呼ばれることがある。そのような例では、ワイヤレス通信システム１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（たとえば、コアネットワーク１３０）と、ホーム加入者サーバ（ＨＳＳ：Home Subscriber Server）と、事業者のＩＰサービスとを含み得る。ワイヤレス通信システム１００は、他の無線アクセス技術を使用して他のアクセスネットワークと相互接続し得る。たとえば、ワイヤレス通信システム１００は、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ワイヤレス通信システム１００は、ソースｅノードＢ１０５とターゲットｅノードＢ１０５との間のＵＥ１１５のハンドオーバをサポートし得る。ワイヤレス通信システム１００は、同じＲＡＴ（たとえば、他のＥ−ＵＴＲＡＮネットワーク）のｅノードＢまたは他の基地局間のＲＡＴ内ハンドオーバと、異なるＲＡＴ（たとえば、Ｅ−ＵＴＲＡＮ対ＣＤＭＡなど）のｅノードＢまたは他の基地局間のＲＡＴ間ハンドオーバとをサポートし得る。ワイヤレス通信システム１００はパケット交換サービスを与え得るが、当業者が容易に諒解するように、本開示全体にわたって提示される様々な概念は、回線交換サービスを与えるネットワークに拡張され得る。
【００３９】
[0054]Ｅ−ＵＴＲＡＮは、ｅノードＢ１０５を含み得、ＵＥ１１５に対してユーザプレーンプロトコル終端と制御プレーンプロトコル終端とを与え得る。ｅノードＢ１０５は、Ｘ２インターフェース（たとえば、バックホールリンク１３４）を介して他のｅノードＢ１０５に接続され得る。ｅノードＢ１０５は、ＵＥ１１５にコアネットワーク１３０へのアクセスポイントを与え得る。ｅノードＢ１０５は、Ｓ１インターフェース（たとえば、バックホールリンク１３２）によってコアネットワーク１３０に接続され得る。コアネットワーク１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。すべてのユーザＩＰパケットはサービングゲートウェイを通して転送され得、サービングゲートウェイ自体はＰＤＮゲートウェイに接続され得る。ＰＤＮゲートウェイはＩＰアドレス割振りならびに他の機能をＵＥに与え得る。ＰＤＮゲートウェイはＩＰネットワークおよび／または事業者のＩＰサービスに接続され得る。これらの論理ノードは別個の物理ノードにおいて実装され得るか、または１つまたは複数が単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、および／またはパケット交換（ＰＳ：PS-Switched）ストリーミングサービス（ＰＳＳ：PS Streaming Service）を含み得る。
【００４０】
[0055]ＵＥ１１５は、たとえば、多入力多出力（ＭＩＭＯ：Multiple Input Multiple Output）、多地点協調（ＣｏＭＰ：Coordinated Multi-Point）、または他の方式を通して、複数のｅノードＢ１０５と共同的に通信するように構成され得る。ＭＩＭＯ技法は、複数のデータストリームを送信するためにマルチパス環境を利用するために、ｅノードＢ上の複数のアンテナおよび／またはＵＥ上の複数のアンテナを使用する。ＣｏＭＰは、ＵＥ１１５に関する全体的送信品質を改善し、ならびにネットワークおよびスペクトル利用を増加させるための、いくつかのｅノードＢ１０５による送信および受信の動的協調に関する技法を含む。概して、ＣｏＭＰ技法は、ＵＥ１１５に関する制御プレーン通信とユーザプレーン通信とを協調させるために、ｅノードＢ１０５間の通信のためにバックホールリンク１３２および／または１３４を利用する。
【００４１】
[0056]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤは、ユーザプレーンデータのために使用される、ＵＥとネットワークとの間のＲＲＣ接続の確立と構成と保守とを行い得る。物理レイヤにおいて、トランスポートチャネルは物理チャネルにマッピングされ得る。
【００４２】
[0057]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００４３】
[0058]ワイヤレス通信システム１００は、キャリアアグリゲーション（ＣＡ：carrier aggregation）またはマルチキャリア動作と呼ばれることがある、複数のキャリア上での動作をサポートし得る。キャリアは、コンポーネントキャリア（ＣＣ：component carrier）、チャネルなどと呼ばれることもある。「キャリア」、「ＣＣ」、および「チャネル」という用語は、本明細書では互換的に使用され得る。ダウンリンクのために使用されるキャリアはダウンリンクＣＣと呼ばれることがあり、アップリンクのために使用されるキャリアはアップリンクＣＣと呼ばれることがある。ＵＥは、キャリアアグリゲーションのために、複数のダウンリンクＣＣと１つまたは複数のアップリンクＣＣとで構成され得る。ｅノードＢは、１つまたは複数のダウンリンクＣＣ上でデータと制御情報とをＵＥに送信し得る。ＵＥは、１つまたは複数のアップリンクＣＣ上でデータと制御情報とをｅノードＢに送信し得る。
【００４４】
[0059]キャリアは、双方向通信ＦＤＤ（たとえば、対スペクトルリソース）、ＴＤＤ（たとえば、不対スペクトルリソース）を送信し得る。ＦＤＤに関するフレーム構造（たとえば、フレーム構造タイプ１）とＴＤＤに関するフレーム構造（たとえば、フレーム構造タイプ２）とが定義され得る。各フレーム構造は、無線フレーム長さＴf＝３０７２００・Ｔs＝１０ｍｓを有し得、それぞれ長さ１５３６００・Ｔs＝５ｍｓの２つのハーフフレームを含み得る。各ハーフフレームは、長さ３０７２０・Ｔs＝１ｍｓの５つのサブフレームを含み得る。
【００４５】
[0060]ＴＤＤフレーム構造の場合、各サブフレームはＵＬトラフィックまたはＤＬトラフィックを搬送し得、スペシャルサブフレーム（「Ｓ」）は、ＤＬ送信とＵＬ送信との間で切り替えるために使用され得る。無線フレーム内のＵＬサブフレームおよびＤＬサブフレームの割振りは、対称または非対称であり得、半静的に再構成され得る（たとえば、バックホールを介したＲＲＣメッセージなど）。スペシャルサブフレームは、何らかのＤＬトラフィックおよび／またはＵＬトラフィックを搬送し得、ＤＬトラフィックとＵＬトラフィックとの間のガード期間（ＧＰ）を含み得る。ＵＬトラフィックからＤＬトラフィックへの切替えは、スペシャルサブフレーム、またはＵＬサブフレームとＤＬサブフレームとの間のガード期間を使用せずに、ＵＥにおいてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成がサポートされ得る。たとえば、ＴＤＤフレームは１つまたは複数のスペシャルフレームを含み得、スペシャルフレーム間の期間がフレームに関するＴＤＤ  ＤＬ対ＵＬ切替えポイント周期性を決定し得る。ＬＴＥ／ＬＴＥ−Ａでは、表２００において表図２に示されているように、ＤＬサブフレームを４０％と９０％との間で与える７つの異なるＵＬ−ＤＬ構成が定義される。表２００に示されているように、２つの切替え周期性、すなわち、５ｍｓおよび１０ｍｓがある。５ｍｓ切替え周期性をもつ構成の場合は、フレームごとに２つのスペシャルサブフレームがあり、１０ｍｓ切替え周期性をもつ構成の場合は、フレームごとに１つのスペシャルサブフレームがある。これらの構成のうちのいくつかは対称であり、同数のアップリンクサブフレームとダウンリンクサブフレームとを有するが、いくつかは非対称であり、異なる数のアップリンクサブフレームとダウンリンクサブフレームとを有する。たとえば、４つのアップリンクサブフレームと４つのダウンリンクサブフレームとをもつＵＬ−ＤＬ構成１は対称であり、ＴＤＤ  ＵＬ−ＤＬ構成５はダウンリンクスループットに有利であり、ＵＬ−ＤＬ構成０はアップリンクスループットに有利である。
【００４６】
[0061]ｅノードＢによって使用される特定のＴＤＤ  ＵＬ／ＤＬ構成は、特定のカバレージエリアについてのユーザ要件に基づき得る。たとえば、再び図１を参照すると、カバレージエリア１１０中の比較的多数のユーザが、ユーザが送信しているよりも多くのデータを受信している場合、関連するｅノードＢ１０５に関するＵＬ−ＤＬ構成は、ダウンリンクスループットに有利であるように選択され得る。同様に、カバレージエリア１１０中の比較的多数のユーザが、ユーザが受信しているよりも多くのデータを送信している場合、関連するｅノードＢ１０５に関するＵＬ−ＤＬ構成は、アップリンクスループットに有利であるように選択され得、ｅノードＢ１０５は、ＵＬ−ＤＬ構成０を使用して動作し得る。いくつかの態様では、ｅノードＢ１０５は、フレームごとにＴＤＤ  ＵＬ−ＤＬ構成を動的に再構成することが可能であり得る。そのような場合、再構成されるＵＥ１１５は、再構成メッセージを受信し、再構成されたＵＬ−ＤＬ構成を使用して後続のＴＤＤフレーム上でサブフレームを送信／受信し得る。そのような能力は、瞬時トラフィック状況に応じて、再構成されたＵＥ１１５に関する比較的高速な切替えを可能にし、ＵＥ１１５とｅノードＢ１０５との間の向上したパケットスループットを与え得る。ＵＥ１１５は、たとえば、初期ＴＤＤ  ＵＬ−ＤＬ構成を使用してｅノードＢ１０５と通信していることがある。この初期ＴＤＤ  ＵＬ−ＤＬ構成は、しかしながら、後の時点において効率的なパケットスループットのために不利になり得る。たとえば、ユーザは、比較的大量のデータを受信することから比較的大量のデータを送信することに切り替わり得る。そのような状況では、アップリング送信データとダウンリンク送信データとの比は著しい変化を有し得、その結果、以前は有利なＵＬ−ＤＬ構成が不利なＵＬ−ＤＬ構成になり得る。
【００４７】
[0062]図３は、ｅノードＢ１０５（たとえば、図１のｅノードＢ１０５のうちの１つまたは複数）がセルクラスタに従ってグループ化されたセルクラスタリングおよび干渉緩和（ＣＣＩＭ：Cell Clustering and Interference Mitigation）環境におけるワイヤレス通信システム３００を示している。ワイヤレス通信システム３００は、たとえば、図１に示されたワイヤレス通信システム１００または図２に示された表２００の態様を示し得る。セルクラスタは１つまたは複数のｅノードＢを含むことができ、セルクラスタ内のｅノードＢは様々なタイプ（たとえば、マクロｅノードＢ、ピコｅノードＢ、フェムトｅノードＢなど）であり得る。図３の例に示されているように、ワイヤレス通信システム３００はセルクラスタ３２０−ａ、３２０−ｂ、および３２０−ｃを含む。セルクラスタ３２０−ａはｅノードＢ１０５−ａとｅノードＢ１０５−ｂとを含み得、セルクラスタ３２０−ｂはｅノードＢ１０５−ｃを含み得、セルクラスタ３２０−ｃはｅノードＢ１０５−ｄと１０５−ｅとを含み得る。セルクラスタ３２０は静的にまたは半静的に定義され得、セルクラスタ３２０中の各ｅノードＢ１０５はそれのクラスタの他のｅノードＢ１０５に気づいていることがある。セルクラスタ３２０−ａ、３２０−ｂ、および／または３２０−ｃはＴＤＤキャリアを展開し得、各セルクラスタ内のＴＤＤ  ＵＬ−ＤＬ構成は同期され得る。
【００４８】
[0063]セルクラスタ内の同期ＴＤＤ  ＵＬ−ＤＬ構成に関するトラフィック適応は、クラスタのセル間のＴＤＤ  ＵＬ−ＤＬ再構成の協調によって実行され得る。（たとえば、数十フレーム程度の）半静的ＴＤＤ  ＵＬ−ＤＬ再構成は、（たとえば、Ｓ１および／またはＸ２インターフェースなどを介した）ｅノードＢの間での制御プレーンメッセージングの交換によって実行され得る。半静的ＴＤＤ  ＵＬ−ＤＬ再構成は、いくつかの条件下では、たとえば、クラスタ内のトラフィック状態が急速に変化するときに、十分な性能を与え得る。いくつかの態様では、急速に変化するトラフィック状態は、特定のＵＥ１１５に関するＵＬ−ＤＬ構成が動的に再構成されることを可能にすることによって適応され得る。そのような動的再構成は、制御チャネルシグナリングを通してなど、ｅノードＢ１０５からのシグナリングを通してＵＥ１１５に送信され、１つまたは複数の後続のＴＤＤフレームに適用され得る。そのような再構成は、いくつかのネットワークにおいて実装され得る「拡張干渉管理およびトラフィック適応」（ｅＩＭＴＡ：enhanced Interference Management and Traffic Adaptation）に従って達成され得る。
【００４９】
[0064]そのようなネットワークでは、ｅＩＭＴＡ適合ＵＥは、ＴＤＤフレーム内の特定のサブフレームがアップリンクサブフレームからダウンリンクサブフレームに切り替えられ得ることを示す動的再構成メッセージを受信し得る。いくつかのネットワークでは、適応レートは、１０ｍｓなど、比較的高速であり、したがって、いくつかの状況では、フレームごとにＴＤＤ  ＵＬ−ＤＬ構成を変更する能力を与え得る。ｅＩＭＴＡに従って動作することが可能であるＵＥは、本明細書では非レガシーＵＥと呼ばれ、ｅＩＭＴＡに従って動作することが可能でないＵＥは、本明細書ではレガシーＵＥと呼ばれる。いくつかの状況では、ｅノードＢはレガシーＵＥと非レガシーＵＥの両方と通信していることがあり、したがって、レガシーＵＥが適切に動作することを可能にするとともに、非レガシーＵＥに関する動的再構成、ならびに、ＵＥとｅノードＢとの間で行われるべき、ＨＡＲＱ肯定応答など、他の関係するシグナリングをも可能にするために、ＵＥとｅノードＢとの間のシグナリングが行われなければならない。レガシーＵＥをサポートするために、システム情報ブロック１（ＳＩＢ１）中などで示される、確立されたＴＤＤ  ＵＬ−ＤＬ構成におけるダウンリンクサブフレームは、アップリンクサブフレームへの変更により、無線リソース管理（ＲＲＭ：Radio Resource Management）測定値および／または周期チャネル状態情報（ＣＳＩ：Channel State Information）が問題を報告することになり得るので、そのように変更されないことがある。しかしながら、ｅＩＭＴＡに従って動作するｅノードＢは、非レガシーＵＥにおいてダウンリンクサブフレームであるために再構成されるＵＬサブフレームを「ブランキング」するために、レガシーＵＥに関するスケジューリング情報を変更し、いくつかのアップリンクサブフレームに対してリソースを構成し得る。いくつかの態様では、１つまたは複数のＵＥに動的再構成をシグナリングするためのシグナリング機構が提供される。
【００５０】
[0065]ＴＤＤシステムにおけるＨＡＲＱ情報の送信に関するタイミングは、特定のＴＤＤ  ＵＬ−ＤＬ構成に従って決定される。様々な態様は、ＨＡＲＱ時間がＴＤＤフレーム内の様々なサブフレームのプロパティに基づいて決定され得ることを提供する。たとえば、図４は、ＴＤＤシステムにおけるフレーム４００を示している。フレーム４００は、アップリンクサブフレーム「Ｕ」、ダウンリンクサブフレーム「Ｄ」、スペシャルサブフレーム「Ｓ」またはフレキシブルサブフレーム「Ｕ／Ｄ」に指定された、１０個のサブフレーム４０５を含む。図４の例では、サブフレーム４、７、および８はフレキシブルサブフレームであるものとして示されている。この例では、最小アップリンクサブフレーム４１０のセットは、アップリンクサブフレームとして示され、ダウンリンクサブフレームであるために再構成されないことがある、サブフレームを含む。最大アップリンクサブフレーム４１５のセットは、初期ＵＬ−ＤＬ構成に従ってアップリンクサブフレームとして示されるサブフレームを含む。したがって、この例のＴＤＤ  ＵＬ−ＤＬ構成に従って送信される所与のフレームでは、サブフレーム２および３において、および場合によってはサブフレーム４、７、または８のうちの１つまたは複数においてアップリンクデータを有し得る。
【００５１】
[0066]いくつかの例では、サブフレーム４、７、および８は、たとえば、システム情報ブロック（ＳＩＢ）メッセージを通して、アップリンクサブフレームであるように初期に設定される。このメッセージを受信したレガシーＵＥは、定義されたＴＤＤ  ＵＬ−ＤＬ構成に従って単純に動作する。非レガシーＵＥは、いくつかの例では、最小アップリンクサブフレーム４１０のセットと最大アップリンクサブフレーム４１５のセットとを示すシグナリングを受信し得る。いくつかの例では、最小アップリンクサブフレーム４１０識別情報および最大アップリンクサブフレーム４１５識別情報は、ＵＥに送信されるビットマップ中で送信され得る。他の例では、半静的ＴＤＤ  ＵＬ−ＤＬ最小および／または最大アップリンクサブフレーム識別情報のセットが確立され得、最小アップリンクサブフレーム４１０および／または最大アップリンクサブフレーム４１５を識別する構成インデックスが、たとえば、ＲＲＣシグナリングを通して、ＵＥにおいて受信され得る。たとえば、最小アップリンクサブフレームの８つの半静的識別情報が確立され得、これは、３ビット構成インデックスによって識別され得、３ビット構成インデックスは、最小アップリンクサブフレームを識別するためにＵＥにおいて受信される。ＵＥは、次いで、最小および最大アップリンクサブフレームを識別し、フレキシブルサブフレームをも識別し得る。いくつかの例では、最大アップリンクサブフレーム４１５のセットは、ＳＩＢメッセージ中で与えられるＴＤＤ  ＵＬ−ＤＬ構成に基づいて決定され得、最小アップリンクサブフレーム４１０は、ＲＲＣメッセージ中でＵＥに送信されるビットマップまたは構成インデックスに基づいて決定され得る。他の例では、ＵＥは、最小アップリンクサブフレーム４１０を識別するために使用され得る第２のＴＤＤ  ＵＬ−ＤＬ構成の指示を受信し得る。いずれの場合も、フレキシブルサブフレームとして識別された、最大アップリンクサブフレーム４１５のセット中にはあるが、最小アップリンクサブフレーム４１０のセット中にはないＵＬサブフレームは、高速トラフィック適応のためにダウンリンクサブフレームに動的に変更され得る。いくつかの例では、最大および最小アップリンクサブフレームの定義は、来るべき時間中のアップリンクトラフィック負荷のヒステリシスに基づき得る。
【００５２】
[0067]上述のように、非レガシーＵＥは、異なるＴＤＤ  ＵＬ−ＤＬ構成に従って動作するために動的に再構成され得る。ＵＥを再構成するとき、様々な例では、ＨＡＲＱタイムラインと、ＵＥに送信される再構成シグナリングの両方が与えられる。いくつかの例では、アップリンクＨＡＲＱプロセスおよび肯定応答／否定応答（ＡＣＫ／ＮＡＣＫ）位置は、最大アップリンクサブフレームセットをもつ構成に基づいて決定される。したがって、フレキシブルサブフレームのうちの１つまたは複数の再構成にかかわらず、ＵＥは、無矛盾な様式でアップリンクＨＡＲＱ情報を与えることが可能になる。アップリンクＨＡＲＱプロセスおよびＡＣＫ／ＮＡＣＫ位置の例が以下でより詳細に説明される。いくつかの例では、ダウンリンクＨＡＲＱプロセスおよびＡＣＫ／ＮＡＣＫ位置は、最小アップリンクサブフレームセットをもつＴＤＤ  ＵＬ−ＤＬ構成（すなわち、最大数のダウンリンクサブフレームを有する構成）に基づいて決定される。したがって、フレキシブルサブフレームのうちの１つまたは複数の再構成にかかわらず、ＵＥは、無矛盾な様式でダウンリンクＨＡＲＱ情報を与えることが可能になる。そのような様式で、そのような例は、異なる動的再構成にわたって非レガシーＵＥに無矛盾なＨＡＲＱタイミングを与える。
【００５３】
[0068]同じく上述のように、ＴＤＤ  ＵＬ−ＤＬ再構成情報は、ｅノードＢとＵＥとの間のアップリンク／ダウンリンク帯域幅を動的に変更するために非レガシーＵＥに与えられる。いくつかの例では、ｅノードＢからＵＥへのＬ１シグナリングを通してＵＥにシグナリングが与えられる。いくつかの例では、ＵＥはアップリンクサブフレームに関するアップリンク許可を受信し、擬似―アップリンク許可が、所与のフレーム中にダウンリンクサブフレームであるべきであるフレキシブルサブフレームのために与えられる。そのような擬似―アップリンク許可は、このようにして、特定のサブフレームについての送信方向の変更をＵＥに通知する。擬似―アップリンク許可を受信したＵＥのみが、対応するフレキシブルサブフレーム中でダウンリンク許可を検出することを試み、それによって、フレキシブルサブフレームを受信し、復号することを試みなければならないＵＥと比較して、電力を節約する。したがって、ｅノードＢは、ＵＥごとにフレキシブルサブフレーム中でのダウンリンク送信を可能または不能にするためにシグナリングし得る。
【００５４】
[0069]いくつかの例では、擬似―アップリンク許可がダウンリンク制御情報（ＤＣＩ：Downlink Control Information）フォーマット０における無効なリソースブロック割振りによって示され得る。いくつかの通信システムに関する仕様によれば、リソース指示値（ＲＩＶ）に関するビット数はＲＩＶの可能性を超える。たとえば、Ｅ−ＵＴＲＡＮ仕様のいくつかのバージョンでは、ＲＩＶのために１３ビットが与えられており、ＲＩＶの最大数は５０４９であると定義されている。これらの仕様は、無矛盾な制御情報が検出されない場合、ＵＥが、そのようなフォーマットにおけるアップリンクリソース割振りを廃棄すべきであることを記述している。したがって、そのような擬似―アップリンク許可がそのような仕様に準拠するという条件で、およびｅＩＭＴＡ対応ＵＥは、リソースに関連するフレキシブルサブフレーム上での送信方向を変更するための指示として、そのような割振りを使用し得る。たとえば、引き続き図４を参照すると、サブフレーム４に関連するアップリンク許可におけるＲＩＶは、最大ＲＩＶ値を超えるように設定され得る。その場合、このＲＩＶを受信した非レガシーＵＥは、サブフレーム４がダウンリンク送信の受信のために使用されるべきであることを認識し得る。擬似―アップリンク許可および関連するサブフレームの再構成の例が以下でより詳細に説明される。
【００５５】
[0070]ｅＩＭＴＡシステムにおいて再構成シグナリングと無矛盾なＨＡＲＱリソース割振りとを与えるために、本開示の様々な態様は、ＴＤＤフレームのように構成され得る最大数および最小数のアップリンクサブフレームに関係する情報、ならびに、アップリンクからダウンリンクに、またはダウンリンクからアップリンクに変更されるべきである特定のサブフレームの指示の送信を提供する。これは、ｅＩＭＴＡに適合する非レガシーＵＥが、同じｅノードＢと動作しているレガシーＵＥとの衝突なしに情報を送信することを可能にする。図５は、ＴＤＤ  ＵＬ−ＤＬ構成の再構成のために構成され得るワイヤレス通信システム５００のブロック図を示している。このワイヤレス通信システム５００は、図１に示されたワイヤレス通信システム１００、または図３のワイヤレス通信システム３００の態様の一例であり得る。ワイヤレス通信システム５００はｅノードＢ１０５−ａを含み得る。ｅノードＢ１０５−ｆは、（１つまたは複数の）アンテナ５４５と、トランシーバモジュール５５０と、メモリ５７０と、プロセッサモジュール５６０とを含み得、その各々は、（たとえば、１つまたは複数のバス５８０を介して）互いと直接または間接的に通信していることがある。トランシーバモジュール５５０は、（１つまたは複数の）アンテナ５４５を介してＵＥデバイス１１５−ａ、１１５−ｂと双方向に通信するように構成され得る。トランシーバモジュール５５０（および／またはｅノードＢ１０５−ｆの他の構成要素）はまた、１つまたは複数のネットワークと双方向に通信するように構成され得る。場合によっては、ｅノードＢ１０５−ｆは、ネットワーク通信モジュール５６５を通してコアネットワーク１３０−ａと通信し得る。ｅノードＢ１０５−ｆは、ｅノードＢ基地局、ホームｅノードＢ基地局、ノードＢ基地局、および／またはホームノードＢ基地局の一例であり得る。
【００５６】
[0071]ｅノードＢ１０５−ｆはまた、ｅノードＢ１０５−ｍおよびｅノードＢ１０５−ｎなど、他のｅノードＢ１０５と通信し得る。場合によっては、ｅノードＢ１０５−ｆは、基地局通信モジュール５１５を利用して１０５−ｍおよび／または１０５−ｎなどの他のｅノードＢと通信し得る。いくつかの例では、基地局通信モジュール５１５は、ｅノードＢ１０５のいくつかの間の通信を行うために、ＬＴＥワイヤレス通信技術内のＸ２インターフェースを与え得る。いくつかの例では、ｅノードＢ１０５−ｆは、コアネットワーク１３０−ａを通して他のｅノードＢと通信し得る。
【００５７】
[0072]メモリ５７０は、ランダムアクセスメモリ（ＲＡＭ）と読取り専用メモリ（ＲＯＭ）とを含み得る。メモリ５７０はまた、実行されるとプロセッサモジュール５６０に本明細書で説明される様々な機能（たとえば、ＴＤＤ  ＵＬ−ＤＬ再構成、ＨＡＲＱ動作など）を実行させるように構成された命令を含んでいるコンピュータ可読、コンピュータ実行可能ソフトウェアコード５７５を記憶し得る。代替的に、コンピュータ実行可能ソフトウェアコード５７５は、プロセッサモジュール５６０によって直接的に実行可能でないことがあるが、たとえば、コンパイルされ実行されると、プロセッサに本明細書で説明される機能を実行させるように構成され得る。
【００５８】
[0073]プロセッサモジュール５６０は、インテリジェントハードウェアデバイス、たとえば、中央処理ユニット（ＣＰＵ）、マイクロコントローラ、特定用途向け集積回路（ＡＳＩＣ）などを含み得る。（１つまたは複数の）トランシーバモジュール５５０は、パケットを変調し、変調されたパケットを送信のために（１つまたは複数の）アンテナ５４５に与え、（１つまたは複数の）アンテナ５４５から受信されたパケットを復調するように構成されたモデムを含み得る。ｅノードＢ１０５−ｆのいくつかの例は単一のアンテナ５４５を含み得るが、ｅノードＢ１０５−ｆは、キャリアアグリゲーションをサポートし得る複数のリンクに関する複数のアンテナ５４５を含み得る。たとえば、ＵＥデバイス１１５−ａ、１１５−ｂとのマクロ通信をサポートするために１つまたは複数のリンクが使用され得る。
【００５９】
[0074]図５のアーキテクチャによれば、ｅノードＢ１０５−ｆは通信管理モジュール５４０をさらに含み得る。通信管理モジュール５４０は、他のｅノードＢ１０５との通信を管理し得る。例として、通信管理モジュール５４０は、バス５８０を介してｅノードＢ１０５−ｆの他の構成要素の一部または全部と通信しているｅノードＢ１０５−ｆの構成要素であり得る。代替的に、通信管理モジュール５４０の機能は、トランシーバモジュール５５０の構成要素として、コンピュータプログラム製品として、および／またはプロセッサモジュール５６０の１つまたは複数のコントローラ要素として実装され得る。
【００６０】
[0075]いくつかの例では、（１つまたは複数の）アンテナ５４５に結合されたトランシーバモジュール５５０は、ｅノードＢ１０５−ｆの他の可能な構成要素とともに、ｅノードＢ１０５−ｆと通信している様々なＵＥに関するＴＤＤ  ＵＬ−ＤＬ構成を決定し、また、異なるＴＤＤ  ＵＬ−ＤＬ構成を用いて再構成され得る非レガシーＵＥに関するアップリンクリソースを決定し得る。いくつかの例では、ｅノードＢ１０５−ｆは、ＵＥ１１５−ａ、１１５−ｂに関するＴＤＤ  ＵＬ−ＤＬ構成を決定するＴＤＤ  ＵＬ−ＤＬ構成選択モジュール５２０を含む。上記で説明されたように、いくつかの態様では、異なるＵＥ１１５−ａ、１１５−ｂはレガシーＵＥと非レガシーＵＥとを含み得、ＴＤＤ  ＵＬ−ＤＬ構成選択モジュール５２０はレガシーＵＥと非レガシーＵＥの両方に関するＵＬ−ＤＬ構成を決定し得る。図５の例では、ＵＥ１１５−ａはレガシーＵＥであり得、ＵＥ１１５−ｂは非レガシーＵＥであり得る。レガシーＵＥ１１５−ａに関するＴＤＤ  ＵＬ−ＤＬ構成は、（１つまたは複数の）トランシーバモジュール５５０と連携して、ＴＤＤ  ＵＬ−ＤＬ構成送信モジュール５２５を使用してＳＩＢ１を介して送信され得る。同様に、非レガシーＵＥ１１５−ｂに関する初期ＴＤＤ  ＵＬ−ＤＬ構成は、（１つまたは複数の）トランシーバモジュール５５０と連携してＴＤＤ  ＵＬ−ＤＬ構成送信モジュール５２５を使用して、ＳＩＢ１を使用して送信され得る。ＴＤＤ  ＵＬ−ＤＬ構成選択モジュール５２０はまた、レガシーＵＥ１１５−ａに関するデフォルトＴＤＤ  ＵＬ−ＤＬ構成が変更されるべきであると周期的に決定し得、その場合、更新されたＳＩＢ１ブロックが、（１つまたは複数の）トランシーバモジュール５５０と連携して、ＴＤＤ  ＵＬ−ＤＬ構成送信モジュール５２５を使用して送信され得る。ＴＤＤ  ＵＬ−ＤＬ構成モジュールはまた、いくつかの例では、非レガシーＵＥ１１５−ｂのように構成され得る最小数のアップリンクサブフレームと最大数のアップリンクサブフレームとを示す１つまたは複数のメッセージを生成し得る。そのようなメッセージは、ＴＤＤ  ＵＬ−ＤＬ構成送信モジュール５２５を使用してＵＥ１１５に送信され得る。いくつかの例では、最小アップリンクサブフレームの識別情報は、ＲＲＣメッセージ中でＵＥに送信されるビットマップを通して与えられ得、サブフレームのアップリンクの最大セットの識別情報は、ＳＩＢメッセージ中で与えられるＴＤＤ  ＵＬ−ＤＬ構成に基づいて決定され得る。いくつかの例では、最小アップリンクサブフレームの識別情報は、ＲＲＣメッセージ中でＵＥに送信される第２の半静的ＴＤＤ  ＵＬ−ＤＬ構成に基づいて決定され得る。いくつかの例では、最大および最小アップリンクサブフレームの定義は、来るべき時間中のアップリンクトラフィック負荷のヒステリシスに基づき得る。
【００６１】
[0076]ある時点において、初期ＴＤＤ  ＵＬ−ＤＬ構成が１つまたは複数のＵＥ１１５−ａおよび１１５−ｂにとって最適でないよりもように、トラフィックパターンが変化し得る。非レガシーＵＥ１１５−ｂの場合、ＵＬ−ＤＬ再構成決定モジュール５３０は、非レガシーＵＥ１１５−ｂに関するＵＬ−ＤＬ構成が異なるＵＬ−ＤＬ構成に再構成されるべきであると決定し得る。たとえば、ｅノードＢ１０５−ｆと非レガシーＵＥ１１５−ｂとの間のトラフィックの変化は、追加のデータが非レガシーＵＥ１１５−ｂに送信されるべきであるように変化し得、その場合、ＵＬ−ＤＬ再構成決定モジュール５３０は、非レガシーＵＥ１１５−ｂが、異なるＵＬ−ＤＬ構成に従って動作するために再構成されるべきであると決定し得る。再構成情報がＵＬ−ＤＬ再構成送信モジュール５３５に与えられ得、ＵＬ−ＤＬ再構成送信モジュール５３５は、（１つまたは複数の）トランシーバモジュール５５０と連携して、ＴＤＤ  ＵＬ−ＤＬ再構成メッセージをＵＥ１１５−ｂに送信し得る。いくつかの例では、ＵＬ−ＤＬ再構成決定モジュール５３０は、特定のサブフレームがアップリンクサブフレームからダウンリンクサブフレームに変更されるべきであることをＵＥ１１５−ｂに通知するために、ＵＥ１１５−ｂに送信されるべきである擬似―アップリンク許可を生成し得る。ＵＬ−ＤＬ再構成送信モジュール５３５は、（１つまたは複数の）トランシーバモジュール５５０と連携して、そのような擬似―アップリンク許可をＵＥ１１５−ｂに送信し得る。上述のように、そのような擬似―アップリンク許可は、特定のサブフレームがアップリンクサブフレームからダウンリンクサブフレームに変更されるべきであることをＵＥに示す、ＵＥに送信されるべきである無効なＲＩＶであり得る。
【００６２】
[0077]上述のように、擬似―アップリンク許可は、いくつかの例では、特定のサブフレームがアップリンクサブフレームからダウンリンクサブフレームに変更されるべきであることをＵＥにシグナリングするために使用され得る。図６は、初期に構成されたＴＤＤ  ＵＬ−ＤＬ構成とは異なるＴＤＤ  ＵＬ−ＤＬ構成に従って動作するために非レガシーＵＥを再構成するためのそのような擬似―アップリンクメッセージ送信の例６００を示している。この例では、３つのフレーム、すなわち、フレームｎ  ６０５、フレームｎ＋１  ６１０、フレームｎ＋２  ６１５が図示されている。初めに、送信はＴＤＤ  ＵＬ−ＤＬ構成６に従って行われる。この例では、サブフレーム２および３がサブフレームセット中の最小サブフレーム６２０として識別される。この識別は、上述のように、ｅノードＢからＵＥへのＲＲＣシグナリングを通して達成され得る。初期構成はＴＤＤ  ＵＬ−ＤＬ構成６であるので、ＵＥは、識別された最小アップリンクサブフレームと、ＴＤＤ  ＵＬ−ＤＬ構成６に関連するアップリンクサブフレームとの間の差分としてフレキシブルサブフレーム６２５を識別することができる。いくつかの例では、そのような状況におけるＨＡＲＱ情報は、サブフレーム２および３、すなわち、サブフレームセット中の最小サブフレーム６２０中で識別されたサブフレーム中にＵＥからｅノードＢに送信されるべきであることが確立され得る。第１のフレーム６０５に続いて、＃１、＃２、および＃３として識別されたサブフレーム中のダウンリンク情報についてのＨＡＲＱ  ＡＣＫ／ＮＡＣＫ情報は、第２のフレーム６１０のサブフレーム２中で送信される。＃４および＃５として識別されたサブフレーム中のダウンリンク情報についてのＨＡＲＱ  ＡＣＫ／ＮＡＣＫ情報は、この例によれば、第２のフレーム６１０の第３のサブフレーム中で送信される。さらに、＃５として識別されたサブフレーム中のダウンリンク情報は、第２のフレーム６１０中の第１のフレキシブルサブフレーム６３０に関連する擬似―アップリンク許可６３５を含み得る。ＵＥは、したがって、第１のフレキシブルサブフレーム６３０がダウンリンクサブフレームとして再構成されるべきであることを知ることになる。ダウンリンクサブフレームとして現在構成された第１のフレキシブルサブフレーム６３０についてのＨＡＲＱ  ＡＣＫ／ＮＡＣＫ情報は、次いで、第３のフレーム６１５のサブフレーム２中で送信される。擬似―アップリンク許可６３５に続いて、この例では、さらなる擬似―アップリンク許可は送信されず、したがって、第３のフレーム６１５に関するＴＤＤ  ＵＬ−ＤＬ構成は初期ＴＤＤ  ＵＬ−ＤＬ構成に戻る。そのような様式で、ＵＥは、アップリンクサブフレームとダウンリンクサブフレームとを再構成し、また、無矛盾な様式でＨＡＲＱ情報を与えるためにシグナリングされ得る。
【００６３】
[0078]図７は、初期に構成されたＴＤＤ  ＵＬ−ＤＬ構成とは異なるＴＤＤ  ＵＬ−ＤＬ構成に従って動作するために非レガシーＵＥを再構成するためのそのような擬似―アップリンクメッセージ送信の別の例７００を示している。この例では、３つのフレーム、すなわち、フレームｎ  ７０５、フレームｎ＋１  ７１０、フレームｎ＋２  ７１５が図示されている。初めに、送信はＴＤＤ  ＵＬ−ＤＬ構成６に従って行われる。この例では、図６の例の場合のように、サブフレーム２および３がサブフレームセット中の最小サブフレーム７２０として識別される。この識別は、上述のように、ｅノードＢからＵＥへのＲＲＣシグナリングを通して達成され得る。初期構成はＴＤＤ  ＵＬ−ＤＬ構成６であるので、ＵＥは、識別された最小アップリンクサブフレームと、ＴＤＤ  ＵＬ−ＤＬ構成６に関連するアップリンクサブフレームとの間の差分としてフレキシブルサブフレーム７２５を識別することができる。いくつかの例では、そのような状況におけるＨＡＲＱ情報は、サブフレーム２および３、すなわち、サブフレームセット中の最小サブフレーム７２０中で識別されたサブフレーム中にＵＥからｅノードＢに送信されるべきであることが確立され得る。第１のフレーム７０５に続いて、＃１、＃２、および＃３として識別されたサブフレーム中のダウンリンク情報についてのＨＡＲＱ  ＡＣＫ／ＮＡＣＫ情報は、第２のフレーム７１０のサブフレーム２中で送信される。＃４および＃５として識別されたサブフレーム中のダウンリンク情報についてのＨＡＲＱ  ＡＣＫ／ＮＡＣＫ情報は、この例によれば、第２のフレーム７１０の第３のサブフレーム中で送信される。この例では、サブフレーム＃５、＃６、および＃７中のダウンリンク情報は、第２のフレーム７１０中のフレキシブルサブフレーム７３０、７５０、および７５５の各々に関連する擬似―アップリンク許可７３５、７４０、および７４５を含み得る。ＵＥは、したがって、フレキシブルサブフレーム７３０、７５０、および７５５がダウンリンクサブフレームとして再構成されるべきであることを知ることになる。ダウンリンクサブフレームとして現在構成されたこれらのフレキシブルサブフレーム７３０、７５０、および７５５についてのＨＡＲＱ  ＡＣＫ／ＮＡＣＫ情報は、次いで、第３のフレーム７１５のサブフレーム２および３中で送信される。擬似―アップリンク許可７３５、７４０、および７４５に続いて、この例では、さらなる擬似―アップリンク許可は送信されず、したがって、第３のフレーム７１５に関するＴＤＤ  ＵＬ−ＤＬ構成は初期ＴＤＤ  ＵＬ−ＤＬ構成に戻る。そのような様式で、ＵＥは、アップリンクサブフレームとダウンリンクサブフレームとを再構成し、また、無矛盾な様式でＨＡＲＱ情報を与えるためにシグナリングされ得る。
【００６４】
[0079]次に図８を参照すると、ＴＤＤ再構成に関するアップリンクＨＡＲＱタイミングの例８００が記述されている。この例では、３つのフレーム、すなわち、フレームｎ  ８０５、フレームｎ＋１  ８１０、フレームｎ＋２  ８１５が図示されている。初めに、送信はＴＤＤ  ＵＬ−ＤＬ構成６に従って行われる。この例では、サブフレーム２および３がサブフレームセット中の最小サブフレーム８２０として識別される。この識別は、上述のように、ｅノードＢからＵＥへのＲＲＣシグナリングを通して達成され得る。初期構成はＴＤＤ  ＵＬ−ＤＬ構成６であるので、ＵＥは、識別された最小アップリンクサブフレームと、ＴＤＤ  ＵＬ−ＤＬ構成６に関連するアップリンクサブフレームとの間の差分としてフレキシブルサブフレーム８２５を識別することができる。いくつかの例では、アップリンクＨＡＲＱ情報、すなわち、ＵＥからの送信が適切に受信されたことを確認するために使用されるＨＡＲＱ情報は、ダウンリンクサブフレームまたはスペシャルサブフレームのいずれか中で与えられるダウンリンク情報中で送信されることが確立され得る。図８の例では、Ｇは、この例では、無効なアップリンク許可を含んでいる擬似―アップリンク許可情報８３５とともに、ＵＥに与えられるアップリンク許可指示を示す。これは、無効なアップリンク許可に関連するサブフレーム８３０が、アップリンクサブフレームではなく、ダウンリンクサブフレームであるために再構成されるべきであることをＵＥに示す。この例では「Ｐ」でそれの受信が示されるアップリンクＨＡＲＱ情報は、サブフレームの変更されたステータスにより、このサブフレームについてＵＥにおいて受信されない。擬似―アップリンク許可情報８３５に続いて、この例では、さらなる擬似―アップリンク許可は送信されず、したがって、第３のフレーム８１５に関するＴＤＤ  ＵＬ−ＤＬ構成は初期ＴＤＤ  ＵＬ−ＤＬ構成に戻る。そのような様式で、ＵＥは、アップリンクサブフレームとダウンリンクサブフレームとを再構成し、また、無矛盾な様式でＨＡＲＱ情報を与え／受信するためにシグナリングされ得る。
【００６５】
[0080]次に図９を参照すると、ＴＤＤ再構成に関するアップリンクＨＡＲＱタイミングの別の例９００が記述されている。この例では、３つのフレーム、すなわち、フレームｎ  ９０５、フレームｎ＋１  ９１０、フレームｎ＋２  ９１５が図示されている。初めに、送信はＴＤＤ  ＵＬ−ＤＬ構成６に従って行われる。この例では、サブフレーム２および３がサブフレームセット中の最小サブフレーム９２０として識別される。この識別は、上述のように、ｅノードＢからＵＥへのＲＲＣシグナリングを通して達成され得る。初期構成はＴＤＤ  ＵＬ−ＤＬ構成６であるので、ＵＥは、識別された最小アップリンクサブフレームと、ＴＤＤ  ＵＬ−ＤＬ構成６に関連するアップリンクサブフレームとの間の差分としてフレキシブルサブフレーム９２５を識別することができる。いくつかの例では、アップリンクＨＡＲＱ情報、すなわち、ＵＥからの送信が適切に受信されたことを確認するために使用されるＨＡＲＱ情報は、ダウンリンクサブフレームまたはスペシャルサブフレームのいずれか中で与えられるダウンリンク情報中で送信されることが確立され得る。図９の例では、Ｇは、この例では、無効なアップリンク許可を含んでいる擬似―アップリンク許可情報９３５、９４０、９４５とともに、ＵＥに与えられるアップリンク許可指示を示す。これは、無効なアップリンク許可に関連するサブフレーム９３０、９５０、および９５５が、アップリンクサブフレームではなく、ダウンリンクサブフレームであるために再構成されるべきであることをＵＥに示す。この例では「Ｐ」でそれの受信が示されるアップリンクＨＡＲＱ情報は、サブフレームの変更されたステータスにより、再構成されたサブフレームについてＵＥにおいて受信されない。擬似―アップリンク許可情報９３５、９４０、および９４５に続いて、この例では、さらなる擬似―アップリンク許可は送信されず、したがって、第３のフレーム９１５に関するＴＤＤ  ＵＬ−ＤＬ構成は初期ＴＤＤ  ＵＬ−ＤＬ構成に戻る。そのような様式で、ＵＥは、アップリンクサブフレームとダウンリンクサブフレームとを再構成し、また、無矛盾な様式でＨＡＲＱ情報を与え／受信するためにシグナリングされ得る。
【００６６】
[0081]いくつかの例によれば、ｅノードＢは、ＵＥに関連するＴＤＤ  ＵＬ−ＤＬ構成および再構成を決定し、また、最小数のアップリンクサブフレームに関係する情報、ならびにＵＥがｅノードＢとの通信のために使用すべきである再構成メッセージを送信し得る。ＵＥは、この情報を受信し、再構成メッセージによって示された新しいＴＤＤ  ＵＬ−ＤＬ構成に切り替え、最小数のアップリンクサブフレームに基づいて、識別されたアップリンクリソースを使用してＨＡＲＱ情報を送信する。次に図１０を参照すると、ＴＤＤ  ＵＬ／ＤＬ再構成を実行する例示的なワイヤレス通信システム１０００が示されている。ワイヤレス通信システム１０００は、１つまたは複数のワイヤレスネットワークへのアクセスを受信するためにｅノードＢ１０５−ｇと通信し得るＵＥ１１５−ｃを含み、図１のワイヤレス通信システム１００、図３のワイヤレス通信システム３００、または図５のワイヤレス通信システム５００の態様の一例であり得る。ＵＥ１１５−ｃは、図１、図３、または図５のユーザ機器１１５の一例であり得る。ＵＥ１１５−ｃは、（１つまたは複数の）受信機モジュール１０１０と（１つまたは複数の）送信機モジュール１０１５とに通信可能に結合された１つまたは複数のアンテナ１００５を含み、（１つまたは複数の）受信機モジュール１０１０と（１つまたは複数の）送信機モジュール１０１５とは制御モジュール１０２０に通信可能に結合される。制御モジュール１０２０は、１つまたは複数のプロセッサモジュール１０２５と、コンピュータ実行可能ソフトウェアコード１０３５を含み得るメモリ１０３０と、ＴＤＤ再構成モジュール１０４０とを含む。コンピュータ実行可能ソフトウェアコード１０３５は、プロセッサモジュール１０２５および／またはＴＤＤ再構成モジュール１０４０が実行するためのものであり得る。
【００６７】
[0082]（１つまたは複数の）プロセッサモジュール１０２５は、インテリジェントハードウェアデバイス、たとえば、中央処理ユニット（ＣＰＵ）、マイクロコントローラ、特定用途向け集積回路（ＡＳＩＣ）などを含み得る。メモリ１０３０は、ランダムアクセスメモリ（ＲＡＭ）と読取り専用メモリ（ＲＯＭ）とを含み得る。メモリ１０３０は、実行されたとき（またはコンパイルされ、実行されたとき）、プロセッサモジュール１０２５および／またはＴＤＤ再構成モジュール１０４０に本明細書で説明される様々な機能（たとえば、ＴＤＤ  ＵＬ−ＤＬ再構成、および識別されたアップリンクリソース上でのＨＡＲＱ情報の送信）を実行させるように構成された命令を含んでいるコンピュータ可読、コンピュータ実行可能ソフトウェアコード１０３５を記憶し得る。ＴＤＤ再構成モジュール１０４０は、たとえば、（１つまたは複数の）プロセッサモジュール１０２５の一部として実装され得るか、または１つまたは複数の別個のＣＰＵまたはＡＳＩＣを使用して実装され得る。（１つまたは複数の）送信機モジュール１０１５は、上記で説明されたように、１つまたは複数のワイヤレス通信ネットワーク（たとえば、Ｅ−ＵＴＲＡＮ、ＵＴＲＡＮなど）との通信を確立するためにｅノードＢ１０５−ｇ（および／または他の基地局）に送信し得る。ＴＤＤ再構成モジュール１０４０は、ｅノードＢ１０５−ｇからＴＤＤ再構成メッセージを受信し、特定のサブフレームに関する擬似―アップリンク許可の受信に基づいてなど、受信されたメッセージに基づいてＴＤＤ  ＵＬ−ＤＬ構成を変更するように構成され得る。ＴＤＤ再構成モジュール１０４０はまた、上記で説明された例に与えられたように、再構成されたサブフレームの識別のために再構成メッセージを受信するように構成され得る。（１つまたは複数の）受信機モジュール１０１０は、上記で説明されたように、ｅノードＢ１０５−ｇ（および／または他の基地局）からダウンリンク送信を受信し得る。ダウンリンク送信はユーザ機器１１５−ｃにおいて受信され、処理される。ＵＥ１１５−ｃの構成要素は、個別にまたは集合的に、ハードウェア中の適用可能な機能の一部または全部を実行するために適応された１つまたは複数の特定用途向け集積回路（ＡＳＩＣ）を用いて実装され得る。言及されたモジュールの各々は、ＵＥ１１５−ｃの動作に関係する１つまたは複数の機能を実行するための手段であり得る。
【００６８】
[0083]図１１は、ＴＤＤ  ＵＬ−ＤＬ構成決定モジュール１１０５と、ＵＬ−ＤＬ再構成決定モジュール１１１０と、ＨＡＲＱ  ＡＣＫ／ＮＡＣＫ決定モジュール１１１５と、ＨＡＲＱ  ＡＣＫ／ＮＡＣＫ送信モジュール１１２０とを含むＴＤＤ再構成モジュール１０４０−ａの一例を示す。ＴＤＤ  ＵＬ−ＤＬ構成決定モジュール１１０５は、ｅノードＢからＴＤＤ  ＵＬ−ＤＬ構成情報を受信し、その情報に従ってＴＤＤ  ＵＬ−ＤＬ構成を設定し得る。この情報は、たとえば、システム情報ブロック（たとえば、ＳＩＢ１）を通して受信され得、またはｅＩＭＴＡに従ってｅノードＢから受信された１つまたは複数の再構成メッセージを通して受信され得る。ＴＤＤ  ＵＬ−ＤＬ構成情報はまた、アップリンクサブフレームであるサブフレームの最小セットに関係する情報を含み得、その情報は、ＨＡＲＱ  ＡＣＫ／ＮＡＣＫ情報を与えるためのタイミングを決定するために使用され得る。ＵＬ−ＤＬ再構成決定モジュール１１１０は、上記で説明されたように、アップリンクリソース許可および擬似―アップリンクリソース許可など、再構成メッセージを受信し、１つまたは複数のサブフレームがアップリンクからダウンリンクサブフレームに再構成されるべきであると決定し得る。ＨＡＲＱ  ＡＣＫ／ＮＡＣＫ決定モジュール１１１５は、関連するダウンリンクサブフレーム中でのダウンリンクデータの成功した受信または失敗した受信に基づいて、送信すべき適切なＡＣＫ／ＮＡＣＫメッセージを決定し得る。ＨＡＲＱ  ＡＣＫ／ＮＡＣＫ送信モジュール１１２０は、ＡＣＫ／ＮＡＣＫ情報とアップリンクリソース情報とを受信し、識別されたアップリンクリソース上でＨＡＲＱ情報を送信し得る。ＴＤＤ再構成モジュール１１４０−ａの構成要素は、個別にまたは集合的に、ハードウェア中の適用可能な機能の一部または全部を実行するように適応された１つまたは複数のＡＳＩＣを用いて実装され得る。言及されたモジュールの各々は、ＴＤＤ再構成モジュール１１４０−ａの動作に関係する１つまたは複数の機能を実行するための手段であり得る。
【００６９】
[0084]図１２は、ｅノードＢ１０５−ｈとＵＥ１１５−ｄとを含むシステム１２００のブロック図である。このシステム１２００は、図１のワイヤレス通信システム１００、図３のワイヤレス通信システム３００、図５のワイヤレス通信システム５００、または図１０のワイヤレス通信システム１０００の一例であり得る。ｅノードＢ１０５−ｈはアンテナ１２３４−ａ〜１２３４−ｘを装備し得、ＵＥ１１５−ｄはＵＥアンテナ１２５２−ａ〜１２５２−ｎを装備し得る。ｅノードＢ１０５−ｈにおいて、送信プロセッサ１２２０がデータソースからデータを受信し得る。
【００７０】
[0085]送信プロセッサ１２２０はデータを処理し得る。送信プロセッサ１２２０はまた、基準シンボルとセル固有基準信号とを生成し得る。送信（ＴＸ）ＭＩＭＯプロセッサ１２３０が、適用可能な場合、データシンボル、制御シンボル、および／または基準シンボルに対して空間処理（たとえば、プリコーディング）を実行し得、出力シンボルストリームをｅノードＢ変調器／復調器１２３２−ａ〜１２３２−ｘに与え得る。各ｅノードＢ変調器／復調器１２３２は、出力サンプルストリームを取得するために、（たとえば、ＯＦＤＭなどのために）それぞれの出力シンボルストリームを処理し得る。各ｅノードＢ変調器／復調器１２３２はさらに、ダウンリンク信号を取得するために、出力サンプルストリームを処理（たとえば、アナログへの変換、増幅、フィルタ処理、およびアップコンバート）し得る。一例では、ｅノードＢ変調器／復調器１２３２−ａ〜１２３２−ｘからのＤＬ信号は、それぞれ、特定のＴＤＤアップリンク／ダウンリンク構成に従って、アンテナ１２３４−ａ〜１２３４−ｘを介して送信され得る。
【００７１】
[0086]ＵＥ１１５−ｄにおいて、ＵＥアンテナ１２５２−ａ〜１２５２−ｎが、ｅノードＢ１０５−ｈから特定のＴＤＤアップリンク／ダウンリンク構成に従ってＤＬ信号を受信し得、受信された信号を、それぞれＵＥ変調器／復調器１２５４−ａ〜１２５４−ｎに与え得る。各ＵＥ変調器／復調器１２５４は、入力サンプルを取得するために、それぞれの受信信号を調整（たとえば、フィルタ処理、増幅、ダウンコンバート、およびデジタル化）し得る。各ＵＥ変調器／復調器１２５４はさらに、受信シンボルを取得するために、（たとえば、ＯＦＤＭなどのために）入力サンプルを処理し得る。ＭＩＭＯ検出器１２５６は、すべてのＵＥ変調器／復調器１２５４−ａ〜１２５４−ｎから受信シンボルを取得し、適用可能な場合は受信シンボルに対してＭＩＭＯ検出を実行し、検出されたシンボルを与え得る。受信プロセッサ１２５８が、検出されたシンボルを処理（たとえば、復調、デインターリーブ、および復号）し、ＵＥ１１５−ｄの復号されたデータをデータ出力に与え、復号された制御情報をプロセッサ１２８０、またはメモリ１２８２に与え得る。プロセッサ１２８０は、上記で説明されたように、ＵＥ１１５−ｄのＴＤＤ  ＵＬ−ＤＬ構成を再構成し得るＴＤＤ再構成モジュール１２８４に結合され得る。プロセッサ１２８０は、現在のＴＤＤ  ＵＬ／ＤＬ構成に従ってフレームフォーマッティングを実行し得、したがって、ｅノードＢ１０５−ｈの現在のＵＬ／ＤＬ構成に基づいて、ＴＤＤ  ＵＬ／ＤＬフレーム構造をフレキシブルに構成し得る。
【００７２】
[0087]アップリンク（ＵＬ）上で、ＵＥ１１５−ｄにおいて、送信プロセッサ１２６４が、データソースからデータを受信し、処理し得る。送信プロセッサ１２６４はまた、基準信号に関する基準シンボルを生成し得る。送信プロセッサ１２６４からのシンボルは、適用可能な場合は送信ＭＩＭＯプロセッサ１２６６によってプリコーディングされ、さらに（たとえば、ＳＣ−ＦＤＭＡなどのために）ＵＥ変調器／復調器１２５４−ａ〜１２５４−ｎによって処理され、ｅノードＢ１０５−ｈから受信された送信パラメータに従ってｅノードＢ１０５−ｈに送信され得る。ｅノードＢ１０５−ｈにおいて、ＵＥ１１５−ｄからのＵＬ信号は、アンテナ１２３４によって受信され、ｅノードＢ変調器／復調器１２３２によって処理され、適用可能な場合はＭＩＭＯ検出器１２３６によって検出され、さらに受信プロセッサ１２３８によって処理され得る。受信プロセッサ１２３８は、復号されたデータをデータ出力とｅノードＢプロセッサ１２４０とに与え得る。メモリ１２４２はｅノードＢプロセッサ１２４０に結合され得る。ｅノードＢプロセッサ１２４０は、現在のＴＤＤ  ＵＬ／ＤＬ構成に従ってフレームフォーマッティングを実行し得る。ＴＤＤ  ＵＬ／ＤＬ構成モジュール１２４４は、いくつかの例では、上記で説明されたように、異なるＴＤＤ  ＵＬ／ＤＬ構成に従って動作するために、ｅノードＢ１０５−ｈ、またはｅノードＢ１０５−ｈの１つまたは複数のキャリアを構成または再構成し、再構成されたＵＬ−ＤＬ構成に関係する情報をＵＥ１１５−ｄに送信し得る。同様に上記で説明されたように、システム１２００は、複数のコンポーネントキャリア上での動作をサポートし得、複数のコンポーネントキャリアの各々は、ｅノードＢ１０５−ｈとＵＥ１１５−ｄとの間で送信される異なる周波数の波形信号を含む。複数のコンポーネントキャリアは、ＵＥ１１５−ｄとｅノードＢ１０５−ｈとの間のアップリンクおよびダウンリンク送信を搬送し得、ｅノードＢ１０５−ｈは、異なるＴＤＤ構成をそれぞれ有し得る複数のコンポーネントキャリア上での動作をサポートし得る。いくつかの例では、ＴＤＤ  ＵＬ／ＤＬ構成モジュール１２４４は、ｅノードＢ１０５−ｈを通したリアルタイムまたはほぼリアルタイムの通信に従って、ｅノードＢ１０５−ｈキャリアのＴＤＤ  ＵＬ／ＤＬ構成を動的に再構成し得る。ＵＥ１１５−ｄの構成要素は、個別にまたは集合的に、ハードウェア中の適用可能な機能の一部または全部を実行するように適応された１つまたは複数の特定用途向け集積回路（ＡＳＩＣ）を用いて実装され得る。言及されたモジュールの各々は、システム１２００の動作に関係する１つまたは複数の機能を実行するための手段であり得る。同様に、ｅノードＢ１０５−ｈの構成要素は、個別にまたは集合的に、ハードウェア中の適用可能な機能の一部または全部を実行するように適応された１つまたは複数の特定用途向け集積回路（ＡＳＩＣ）を用いて実装され得る。言及された構成要素の各々は、システム１２００の動作に関係する１つまたは複数の機能を実行するための手段であり得る。
【００７３】
[0088]図１３は、様々な例による、ワイヤレス通信システムにおいてｅノードＢによって実行され得る方法１３００を示している。方法１３００は、たとえば、図１、図３、図５、図１０、または図１２のｅノードＢによって、またはこれらの図に関して説明されたデバイスの任意の組合せを使用して実行され得る。初めに、ブロック１３０５において、ｅノードＢは、ＵＥとのＴＤＤ通信に関する初期アップリンクダウンリンク（ＵＬ−ＤＬ）構成を決定する。たとえば、ＵＥは、ＴＤＤ  ＵＬ−ＤＬ構成を変更するために再構成されるべき、ｅＩＭＴＡに従って動作し得る非レガシーＵＥであり得る。たとえば、初期ＵＬ−ＤＬ構成は、たとえばシステム情報ブロックを通して与えられ得る。ＴＤＤ  ＵＬ−ＤＬ構成選択モジュール５２０は、ＵＥとのＴＤＤ通信に関する初期ＵＬ−ＤＬ構成を決定するための手段であり得る。
【００７４】
[0089]ブロック１３１０において、ｅノードＢは、初期ＵＬ−ＤＬ構成を使用して送信される各フレーム内の１つまたは複数のサブフレームをフレキシブルサブフレームとして識別する。そのような識別情報は、たとえば、アップリンクサブフレームからダウンリンクサブフレームに再構成されないことがある最小アップリンクサブフレームを示すビットマップまたは第２の半静的ＴＤＤ  ＵＬ−ＤＬ構成を使用して送信され得、フレキシブルサブフレームは、最小アップリンクサブフレームと、初期ＵＬ−ＤＬ構成に関連するアップリンクサブフレームとに基づいて決定される。ＴＤＤ  ＵＬ−ＤＬ構成選択モジュール５２０は、初期ＵＬ−ＤＬ構成を使用して送信される各フレーム内の１つまたは複数のサブフレームをフレキシブルサブフレームとして識別するための手段であり得る。
【００７５】
[0090]ブロック１３１５において、ｅノードＢは、異なるＵＬ−ＤＬ構成がＵＥとのＴＤＤ通信のために使用されるべきであると決定し、異なるＵＬ−ＤＬ構成は、アップリンクサブフレームからダウンリンクサブフレームに変更されるべきである少なくとも１つのフレキシブルサブフレームを備える。ＵＬ−ＤＬ再構成決定モジュール５３０は、異なるＵＬ−ＤＬ構成がＵＥとのＴＤＤ通信のために使用されるべきであると決定するための手段であり得る。
【００７６】
[0091]ブロック１３２０において、ｅノードＢは、少なくとも１つのフレキシブルサブフレームが第２のフレーム中でアップリンクサブフレームからダウンリンクサブフレームに変更されるべきであることを示す再構成メッセージをＵＥに送信する。再構成メッセージは、たとえば、ＵＥへの物理レイヤ（ＰＨＹ）シグナリングを通して送信され得、または第２のフレーム中でアップリンクサブフレームからダウンリンクサブフレームに変更されるべきである少なくとも１つのフレキシブルサブフレームに関する擬似―アップリンク許可を含み得る。いくつかの例では、上記で説明されたように、ＨＡＲＱ肯定応答タイミングは、初期ＵＬ−ＤＬ構成と、再構成されたＵＬ−ＤＬ構成に関するＨＡＲＱタイミングとの間で不変であり、アップリンクＨＡＲＱ情報の場合には最大数のアップリンクサブフレームの構成に基づき得、ダウンリンクＨＡＲＱ情報の場合には最小数のアップリンクサブフレームに基づき得る。ＵＬ−ＤＬ再構成送信モジュール５３５は、再構成メッセージをＵＥに送信するための手段であり得る。
【００７７】
[0092]図１４は、様々な例による、ワイヤレス通信システムにおいてｅノードＢによって実行され得る別の方法１４００を示している。方法１４００は、たとえば、図１、図３、図５、図１０、または図１２のｅノードＢによって、またはこれらの図に関して説明されたデバイスの任意の組合せを使用して実行され得る。
【００７８】
[0093]初めに、ブロック１４０５において、ｅノードＢは、ＴＤＤ通信に関する初期アップリンクダウンリンク（ＵＬ−ＤＬ）構成をＵＥに送信する。ＴＤＤ  ＵＬ−ＤＬ構成送信モジュール５２５は、ＴＤＤ通信に関する初期アップリンクダウンリンク（ＵＬ−ＤＬ）構成をＵＥに送信するための手段であり得る。
【００７９】
[0094]ブロック１４１０において、ｅノードＢは、ＵＬ−ＤＬ構成を異なるＵＬ−ＤＬ構成に再構成するための擬似―アップリンク許可をＵＥに送信する。いくつかの例では、擬似―アップリンク許可は、ＴＤＤフレームの少なくとも１つのサブフレームに関する無効なリソースブロック割振りを備える。そのような無効なリソースブロック割振りは、アップリンク許可に関するリソース指示値（ＲＩＶ）の最大値を超えるＲＩＶを含み得る。いくつかの例では、同様に上記で説明されたように、擬似―アップリンク許可は、ＴＤＤフレームのフレキシブルサブフレームのうちの第１のフレキシブルサブフレームに関する第１の擬似―アップリンク許可を含み得、ｅノードＢは、ＴＤＤフレームのフレキシブルサブフレームのうちの第２のフレキシブルサブフレームに関する第２の擬似―アップリンク許可を送信し得る。そのような様式で、ＴＤＤ通信におけるサブフレームは動的に再構成され、特定のＵＥに関してアップリンクおよびダウンリンク帯域幅における増加したフレキシビリティを可能にし得る。ＵＬ−ＤＬ再構成送信モジュール５３５は、ＵＬ−ＤＬ構成を異なるＵＬ−ＤＬ構成に再構成するための擬似―アップリンク許可をＵＥに送信するための手段であり得る。
【００８０】
[0095]図１５は、様々な例による、ワイヤレス通信システムにおいてユーザ機器によって実行され得る方法１５００を示している。方法１５００は、たとえば、図１、図３、図５、図１０、または図１２のユーザ機器によって、またはこれらの図に関して説明されたデバイスの任意の組合せを使用して実行され得る。
【００８１】
[0096]初めに、ブロック１５０５において、ユーザ機器は、ｅノードＢとのＴＤＤ通信に関する初期アップリンクダウンリンク（ＵＬ−ＤＬ）構成を受信する。そのような初期ＵＬ−ＤＬ構成は、上記で説明されたように、各フレーム内の最大数のアップリンクサブフレームおよび／または各フレーム内の最小数のアップリンクサブフレームを含み得る。いくつかの例では、ＵＥは、最大数のアップリンクサブフレームの構成に基づいて、サブフレーム内のアップリンクＨＡＲＱ肯定応答位置を決定し得、そのようなＨＡＲＱ肯定応答タイミングは、初期ＵＬ−ＤＬ構成と再構成されたＵＬ−ＤＬ構成との間で不変である。最大数のアップリンクサブフレームはＳＩＢ中で受信され得、最小数のアップリンクサブフレームは、最小数のアップリンクサブフレームを識別するビットマップ中で受信されるか、または、たとえばＲＲＣシグナリングを通して、第２の半静的ＴＤＤ  ＵＬ−ＤＬ構成から決定され得る。図１１のＴＤＤ  ＵＬ−ＤＬ構成決定モジュール１１０５は、ｅノードＢとのＴＤＤ通信に関する初期アップリンクダウンリンク（ＵＬ−ＤＬ）構成を受信するための手段であり得る。
【００８２】
[0097]ブロック１５１０において、ＵＥは、初期ＵＬ−ＤＬ構成を使用して送信される各フレーム内の１つまたは複数のサブフレームをフレキシブルサブフレームとして識別する。フレキシブルサブフレームは、たとえば、最小アップリンクサブフレームと、初期ＵＬ−ＤＬ構成に関連するアップリンクサブフレームとに基づいて識別され得る。図１１のＴＤＤ  ＵＬ−ＤＬ構成決定モジュール１１０５は、初期ＵＬ−ＤＬ構成を使用して送信される各フレーム内の１つまたは複数のサブフレームをフレキシブルサブフレームとして識別するための手段であり得る。
【００８３】
[0098]最後に、ブロック１５１５において、ＵＥは、少なくとも１つのフレキシブルサブフレームが第２のフレーム中でアップリンクサブフレームからダウンリンクサブフレームに変更されるべきであることを示す再構成メッセージを受信する。そのような再構成メッセージは、ＵＥにおいて物理レイヤ（ＰＨＹ）シグナリングを通して送信され得、および／または関連する（１つまたは複数の）フレキシブルサブフレームに関する無効なリソースブロック割振りを有する１つまたは複数の擬似―アップリンク許可を通して受信され得る。いくつかの例では、無効なリソースブロック割振りは、アップリンク許可に関するＲＩＶの最大値を超えるＲＩＶであり得る。そのような様式で、ＴＤＤ通信におけるサブフレームは動的に再構成され、ＵＥに関するアップリンクおよびダウンリンク帯域幅における増加したフレキシビリティを可能にし得る。図１１のＵＬ−ＤＬ再構成決定モジュール１１１０は、少なくとも１つのフレキシブルサブフレームがアップリンクサブフレームからダウンリンクサブフレームに変更されるべきであることを示す再構成メッセージを受信するための手段であり得る。
【００８４】
[0099]図１６は、様々な例による、ワイヤレス通信システムにおいてＵＥによって実行され得る別の方法１６００を示している。方法１６００は、たとえば、図１、図３、図５、図１０、または図１２のＵＥによって、またはこれらの図に関して説明されたデバイスの任意の組合せを使用して実行され得る。
【００８５】
[0100]初めに、ブロック１６０５において、ＵＥは、ＵＥに対するＴＤＤ通信に関する初期アップリンクダウンリンク（ＵＬ−ＤＬ）構成を受信する。図１１のＴＤＤ  ＵＬ−ＤＬ構成決定モジュール１１０５は、ｅノードＢとのＴＤＤ通信に関する初期アップリンクダウンリンク（ＵＬ−ＤＬ）構成を受信するための手段であり得る。
【００８６】
[0101]ブロック１６１０において、ＵＥは、ＵＬ−ＤＬ構成を異なるＵＬ−ＤＬ構成に再構成するための、ＵＥに対する擬似―アップリンク許可を受信する。いくつかの例では、擬似―アップリンク許可は、ＴＤＤフレームの少なくとも１つのサブフレームに関する無効なリソースブロック割振りを備える。そのような無効なリソースブロック割振りは、アップリンク許可に関するリソース指示値（ＲＩＶ）の最大値を超えるＲＩＶを含み得る。いくつかの例では、同様に上記で説明されたように、擬似―アップリンク許可は、ＴＤＤフレームのフレキシブルサブフレームのうちの第１のフレキシブルサブフレームに関する第１の擬似―アップリンク許可を含み得、ｅノードＢは、ＴＤＤフレームのフレキシブルサブフレームのうちの第２のフレキシブルサブフレームに関する第２の擬似―アップリンク許可を送信し得る。そのような様式で、ＴＤＤ通信におけるサブフレームは動的に再構成され、特定のＵＥに関してアップリンクおよびダウンリンク帯域幅における増加したフレキシビリティを可能にし得る。図１１のＵＬ−ＤＬ再構成決定モジュール１１１０は、ＵＬ−ＤＬ構成を異なるＵＬ−ＤＬ構成に再構成するための擬似―アップリンク許可を受信するための手段であり得る。
【００８７】
[0102]添付の図面に関して上記に記載された詳細な説明は、例について説明しており、実装され得るまたは特許請求の範囲内に入る例のみを表すものではない。この説明全体にわたって使用される「例示的」という用語は、「例、事例、または例示の働きをすること」を意味し、「好ましい」または「他の例よりも有利な」を意味しない。詳細な説明は、説明された技法の理解を与えるために、具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示されている。
【００８８】
[0103]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８９】
[0104]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００９０】
[0105]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００９１】
[0106]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００９２】
[0107]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ｅノードＢと時分割同時（ＴＤＤ）通信しているユーザ機器（ＵＥ）によって実行されるワイヤレス通信の方法であって、
前記ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームが後続のフレーム中でアップリンクサブフレームからダウンリンクサブフレームに変更されるべきであることを示す再構成メッセージを受信することと
を備える、方法。
［Ｃ２］
前記再構成メッセージを受信することが、前記ＵＥにおいて物理レイヤシグナリングを受信することを備える、Ｃ１に記載の方法。
［Ｃ３］
前記再構成メッセージが、前記少なくとも１つのフレキシブルサブフレームに関する無効なリソースブロック割振りを有する擬似―アップリンク許可を備える、Ｃ１に記載の方法。
［Ｃ４］
前記無効なリソースブロック割振りが、アップリンク許可に関するリソース指示値（ＲＩＶ）の最大値を超えるＲＩＶを備える、Ｃ３に記載の方法。
［Ｃ５］
前記再構成メッセージを受信することが、前記フレキシブルサブフレームのうちの第２のフレキシブルサブフレームに関する第２の擬似―アップリンク許可を受信することを備える、Ｃ３に記載の方法。
［Ｃ６］
ＨＡＲＱ肯定応答タイミングが、前記初期ＵＬ−ＤＬ構成と再構成されたＵＬ−ＤＬ構成との間で不変である、Ｃ１に記載の方法。
［Ｃ７］
前記初期ＵＬ−ＤＬ構成が各フレーム内の最大数のアップリンクサブフレームを備える、Ｃ１に記載の方法。
［Ｃ８］
前記最大数のアップリンクサブフレームのＵＬ−ＤＬ構成に基づいて、サブフレームのセット内のアップリンクＨＡＲＱ肯定応答位置を決定すること
をさらに備える、Ｃ７に記載の方法。
［Ｃ９］
前記最大数のアップリンクサブフレームがシステム情報ブロック（ＳＩＢ）中で受信される、Ｃ７に記載の方法。
［Ｃ１０］
前記初期ＵＬ−ＤＬ構成が各フレーム内の最小数のアップリンクサブフレームをさらに備える、Ｃ７に記載の方法。
［Ｃ１１］
前記最小数のアップリンクサブフレームのＵＬ−ＤＬ構成に基づいて、サブフレームのセット内のダウンリンクＨＡＲＱ肯定応答位置を決定すること
をさらに備える、Ｃ１０に記載の方法。
［Ｃ１２］
前記最小数のアップリンクサブフレームが、前記最小数のアップリンクサブフレームを識別するビットマップを使用して受信される、Ｃ１０に記載の方法。
［Ｃ１３］
前記最小数のアップリンクサブフレームが、異なる最小アップリンクサブフレームの半静的セット中の最小アップリンクサブフレームを識別する構成インデックスを使用して送信される、Ｃ１０に記載の方法。
［Ｃ１４］
前記ｅノードＢから前記初期ＵＬ−ＤＬ構成を受信すること
をさらに備える、Ｃ１に記載の方法。
［Ｃ１５］
前記初期ＵＬ−ＤＬ構成が１つのシステム情報ブロック（ＳＩＢ）中で受信される、Ｃ１４に記載の方法。
［Ｃ１６］
前記フレキシブルサブフレームがアップリンクサブフレームとして初期に構成される、Ｃ１に記載の方法。
［Ｃ１７］
前記再構成メッセージが、再構成されるべきである前記フレキシブルサブフレームを識別する無線リソース制御（ＲＲＣ）メッセージングの１つまたは複数を備える、Ｃ１に記載の方法。
［Ｃ１８］
マルチプルの時分割同時（ＴＤＤ）アップリンクダウンリンク（ＵＬ−ＤＬ）構成のうちの１つを使用して動作するように構成されたワイヤレス通信ユーザ機器（ＵＥ）装置であって、
ｅノードＢとのＴＤＤ通信に関する初期アップリンクーダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームがアップリンクサブフレームからダウンリンクサブフレームに変更されるべきであることを示す再構成メッセージを受信することと、
を行うように構成された少なくとも１つのプロセッサと、
前記少なくとも１つのプロセッサに結合されたメモリと
を備える、装置。
［Ｃ１９］
前記再構成メッセージが、前記ＵＥにおいて受信される物理レイヤシグナリングを備える、Ｃ１８に記載の装置。
［Ｃ２０］
前記再構成メッセージが、前記少なくとも１つのフレキシブルサブフレームに関する無効なリソースブロック割振りを有する擬似―アップリンク許可を備える、Ｃ１８に記載の装置。
［Ｃ２１］
前記無効なリソースブロック割振りが、アップリンク許可に関するリソース指示値（ＲＩＶ）の最大値を超えるＲＩＶを備える、Ｃ２０に記載の装置。
［Ｃ２２］
前記初期ＵＬ−ＤＬ構成がシステム情報ブロック（ＳＩＢ）中で受信される、Ｃ１８に記載の装置。
［Ｃ２３］
前記再構成メッセージが、再構成されるべきである前記フレキシブルサブフレームを識別する無線リソース制御（ＲＲＣ）メッセージングの１つまたは複数を備える、Ｃ１８に記載の装置。
［Ｃ２４］
マルチプルの時分割同時（ＴＤＤ）アップリンクダウンリンク（ＵＬ−ＤＬ）構成の１つを使用して動作するように構成されたワイヤレス通信ユーザ機器（ＵＥ）装置であって、
ｅノードＢとのＴＤＤ通信に関する初期アップリンクーダウンリンク（ＵＬ−ＤＬ）構成を受信するための手段と、
フレキシブルサブフレームとして前記初期ＵＬ−ＤＬ構成を使用して送信される各フレーム内の１つまたは複数のサブフレームを識別するための手段と、
前記少なくとも１つのフレキシブルサブフレームがアップリンクサブフレームからダウンリンクサブフレームに変更されるべきであることを示す再構成メッセージを受信するための手段と
を備える、装置。
［Ｃ２５］
前記再構成メッセージが、前記ＵＥにおいて受信される物理レイヤシグナリングを備える、Ｃ２４に記載の装置。
［Ｃ２６］
前記再構成メッセージが、前記少なくとも１つのフレキシブルサブフレームに関する無効なリソースブロック割振りを有する擬似―アップリンク許可を備える、Ｃ２４に記載の装置。
［Ｃ２７］
ｅノードＢと時分割同時（ＴＤＤ）通信しているユーザ機器（ＵＥ）によって実行されるワイヤレス通信の方法であって、
前記ｅノードＢとのＴＤＤに関する初期アップリンクーダウンリンク（ＵＬ−ＤＬ）構成を受信することと、
前記初期ＵＬ−ＤＬ構成を異なるＵＬ−ＤＬ構成に再構成するための擬似―アップリンク許可を受信することと
を備える、方法。
［Ｃ２８］
前記擬似―アップリンク許可が、前記少なくとも１つのフレキシブルサブフレームに関する無効なリソースブロック割振りを備える、Ｃ２７に記載の方法。
［Ｃ２９］
前記無効なリソースブロック割振りが、アップリンク許可に関するリソース指示値（ＲＩＶ）の最大値を超えるＲＩＶを備える、Ｃ２８に記載の方法。
［Ｃ３０］
前記擬似―アップリンク許可が第１のフレキシブルサブフレームに関する第１の擬似―アップリンク許可を備え、ここにおいて、前記方法が、第２のフレキシブルサブフレームに関する第２の擬似―アップリンク許可を受信することをさらに備える、Ｃ２７に記載の方法。
【図１】
0006359564.tif 000002
【図２】
0006359564.tif 000003
【図３】
0006359564.tif 000004
【図４】
0006359564.tif 000005
【図５】
0006359564.tif 000006
【図６】
0006359564.tif 000007
【図７】
0006359564.tif 000008
【図８】
0006359564.tif 000009
【図９】
0006359564.tif 000010
【図１０】
0006359564.tif 000011
【図１１】
0006359564.tif 000012
【図１２】
0006359564.tif 000013
【図１３】
0006359564.tif 000014
【図１４】
0006359564.tif 000015
【図１５】
0006359564.tif 000016
【図１６】
0006359564.tif 000017